(57)【要約】  本出願の実施例は、セッション管理方法、端末装置とネットワーク装置を提供する。端末装置が４Ｇネットワークから５Ｇネットワークに移動した後、ＰＤＵセッションがＭＡをサポートする場合、データを伝送するための非３ＧＰＰネットワークを確立することができ、これにより、端末装置は、より高い伝送レートを取得することができ、より多くの料金を節約することもできるが、ネットワーク装置は、非３ＧＰＰの無線リソースをより効率的に利用し、伝送レートを向上させることができる。  該方法は、端末装置が第一のネットワーク装置へ第一の情報を送信し、該第一の情報がＰＤＮ接続の確立をリクエストすることに用いられることと、該端末装置が該第一のネットワーク装置から送信された第二の情報を受信し、該第二の情報が該端末装置によって開始された該ＰＤＮ接続確立リクエストを受信することを示すことに用いられ、該第二の情報が第一の指示情報を含み、該第一の指示情報が、該端末装置が４Ｇネットワークから５Ｇネットワークに移動した後に該ＰＤＮ接続に対応するＰＤＵセッションがＭＡをサポートするか否かを示すことに用いられ、ＭＡをサポートする場合、該ＰＤＵセッションが３ＧＰＰネットワークと非３ＧＰＰネットワークを同時に用いてデータを伝送することができることとを含む。
2021534610.tif 000002
【特許請求の範囲】
【請求項１】
セッション管理方法であって、
端末装置が第一のネットワーク装置へ第一の情報を送信し、前記第一の情報がパケットデータネットワーク（ＰＤＮ）接続の確立をリクエストすることに用いられることと、
前記端末装置が前記第一のネットワーク装置から送信された第二の情報を受信し、前記第二の情報が前記端末装置によって開始されたＰＤＮ接続確立リクエストを受信することを示すことに用いられ、前記第二の情報が第一の指示情報を含み、前記第一の指示情報が、前記端末装置が４Ｇネットワークから５Ｇネットワークに移動した後に前記ＰＤＮ接続に対応するプロトコルデータユニット（ＰＤＵ）セッションがマルチアクセス技術（ＭＡ）をサポートするか否かを示すことに用いられ、ＭＡをサポートする場合、前記ＰＤＵセッションが第３世代パートナーシッププログラム（３ＧＰＰ）ネットワークと非３ＧＰＰネットワークを同時に用いてデータを伝送することができることとを含む、セッション管理方法。
【請求項２】
前記第一の情報は第二の指示情報を含み、前記第二の指示情報は、前記端末装置がＭＡ  ＰＤＵセッションをサポートする能力を有することを示すことに用いられることを特徴とする
請求項１に記載の方法。
【請求項３】
前記方法はさらに、
前記端末装置が４Ｇネットワークから５Ｇネットワークに移動した後、前記端末装置が、前記ＰＤＵセッションがＭＡをサポートするか否かに応じて、前記非３ＧＰＰネットワークによるＭＡ  ＰＤＵセッション確立を開始するか否かを確定することを含むことを特徴とする
請求項１又は２に記載の方法。
【請求項４】
前記端末装置が、前記ＰＤＵセッションがＭＡをサポートするか否かに応じて、前記非３ＧＰＰネットワークによるＭＡ  ＰＤＵセッション確立を開始するか否かを確定することは、
前記ＰＤＵセッションがＭＡをサポートする時に、前記端末装置が前記非３ＧＰＰネットワークによるＭＡ  ＰＤＵセッション確立を開始することを確定すること、又は
前記ＰＤＵセッションがＭＡをサポートしない時に、前記端末装置が前記非３ＧＰＰネットワークによるＭＡ  ＰＤＵセッション確立を開始しないことを確定することを含むことを特徴とする
請求項３に記載の方法。
【請求項５】
セッション管理方法であって、
第一のネットワーク装置が端末装置から送信された第一の情報を受信し、前記第一の情報がパケットデータネットワーク（ＰＤＮ）接続の確立をリクエストすることに用いられることと、
前記第一の情報に応答して、前記第一のネットワーク装置が前記端末装置へ第二の情報を送信し、前記第二の情報が前記端末装置によって開始されたＰＤＮ接続確立を受け入れることを示すことに用いられ、前記第二の情報が第一の指示情報を含み、前記第一の指示情報が、前記端末装置が４Ｇネットワークから５Ｇネットワークに移動した後に前記ＰＤＮ接続に対応するプロトコルデータユニット（ＰＤＵ）セッションがマルチアクセス技術（ＭＡ）をサポートするか否かを示すことに用いられ、ＭＡをサポートする場合、前記ＰＤＵセッションが第３世代パートナーシッププログラム（３ＧＰＰ）ネットワークと非３ＧＰＰネットワークを同時に用いてデータを伝送することができることとを含む、セッション管理方法。
【請求項６】
前記第一の情報は第二の指示情報を含み、前記第二の指示情報は、前記端末装置がＭＡ  ＰＤＵセッションをサポートする能力を有することを示すことに用いられることを特徴とする
請求項５に記載の方法。
【請求項７】
前記第一のネットワーク装置が前記端末装置へ前記第二の情報を送信する前に、前記方法はさらに、
前記第一のネットワーク装置が第二のネットワーク装置へセッション確立リクエストを送信することと、
前記第一のネットワーク装置が前記第二のネットワーク装置から送信されたセッション確立応答を受信し、前記セッション確立応答が前記第一の指示情報を含むこととを含むことを特徴とする
請求項５に記載の方法。
【請求項８】
前記第一のネットワーク装置が前記端末装置へ前記第二の情報を送信する前に、前記方法はさらに、
前記第一のネットワーク装置が第二のネットワーク装置へセッション確立リクエストを送信し、前記セッション確立リクエストが前記第二の指示情報を含むことと、
前記第一のネットワーク装置が前記第二のネットワーク装置から送信されたセッション確立応答を受信し、前記セッション確立応答が前記第一の指示情報を含むこととを含むことを特徴とする
請求項６に記載の方法。
【請求項９】
セッション管理方法であって、
第二のネットワーク装置が第一のネットワーク装置から送信されたセッション確立リクエストを受信することと、
前記第二のネットワーク装置が前記第一のネットワーク装置へセッション確立応答を送信し、前記セッション確立応答が第一の指示情報を含み、前記第一の指示情報は、端末装置が４Ｇネットワークから５Ｇネットワークに移動した後に前記端末装置が４Ｇネットワークの場合に確立したパケットデータネットワーク（ＰＤＮ）接続に対応するプロトコルデータユニット（ＰＤＵ）セッションがマルチアクセス技術（ＭＡ）をサポートするか否かを示すことに用いられ、ＭＡをサポートする場合、前記ＰＤＵセッションが第３世代パートナーシッププログラム（３ＧＰＰ）ネットワークと非３ＧＰＰネットワークを同時に用いてデータを伝送することができることとを含む、セッション管理方法。
【請求項１０】
前記セッション確立リクエストは、第二の指示情報を含み、前記第二の指示情報は、前記端末装置がＭＡ  ＰＤＵセッションをサポートする能力を有することを示すことに用いられ、
前記第二のネットワーク装置が前記第一のネットワーク装置へセッション確立応答を送信することは、
前記第二の指示情報を受信した後、前記第二のネットワーク装置が、前記ＰＤＵセッションがＭＡをサポートするか否かを確定し、前記第一のネットワーク装置へ前記セッション確立応答を送信することを含むことを特徴とする
請求項９に記載の方法。
【請求項１１】
セッション管理方法であって、端末装置が４Ｇネットワークにおいてパケットデータネットワーク（ＰＤＮ）接続を確立し、前記端末装置が４Ｇネットワークから５Ｇネットワークに移動した後、前記方法は、
前記端末装置が第一のネットワーク装置から送信された第一の指示情報を受信し、前記第一の指示情報が、前記ＰＤＮ接続に対応するプロトコルデータユニット（ＰＤＵ）セッションがマルチアクセス技術（ＭＡ）をサポートするか否かを示すことに用いられ、ＭＡをサポートする場合、前記ＰＤＵセッションが第３世代パートナーシッププログラム（３ＧＰＰ）ネットワークと非３ＧＰＰネットワークを同時に用いてデータを伝送することができることを含む、セッション管理方法。
【請求項１２】
前記端末装置が前記第一のネットワーク装置から送信された前記第一の指示情報を受信する前に、前記方法はさらに、
前記端末装置が前記第一のネットワーク装置へ第一の情報を送信し、前記第一の情報が前記ＰＤＵセッションの変更をリクエストすることに用いられることを含み、
前記端末装置が第一のネットワーク装置から送信された第一の指示情報を受信することは、
前記端末装置が前記第一のネットワーク装置から送信された前記第二の情報を受信し、前記第二の情報が、前記端末装置によって開始された前記ＰＤＵセッションを変更するリクエストを受信することを示すことに用いられ、前記第二の情報が前記第一の指示情報を含むことを含むことを特徴とする
請求項１１に記載の方法。
【請求項１３】
前記第一の情報は第二の指示情報を含み、前記第二の指示情報は、前記端末装置がＭＡ  ＰＤＵセッションをサポートする能力を有することを示すことに用いられることを特徴とする
請求項１２に記載の方法。
【請求項１４】
前記端末装置が第一のネットワーク装置から送信された第一の指示情報を受信することは、
前記端末装置が前記第一のネットワーク装置から送信された第三の情報を受信し、前記第三の情報がアクセス技術ステアリングスイッチング分割（ＡＴＳＳＳ）ポリシーを示すことに用いられ、前記第三の情報が前記第一の指示情報を含むことを含むことを特徴とする
請求項１１に記載の方法。
【請求項１５】
前記方法はさらに、
前記端末装置が、前記ＰＤＵセッションがＭＡをサポートするか否かに応じて、前記非３ＧＰＰネットワークによるＭＡ  ＰＤＵセッション確立を開始するか否かを確定することを含むことを特徴とする
請求項１１−１４のいずれか一項に記載の方法。
【請求項１６】
前記端末装置が、前記ＰＤＵセッションがＭＡをサポートするか否かに応じて、前記非３ＧＰＰネットワークによるＭＡ  ＰＤＵセッション確立を開始するか否かを確定することは、
前記ＰＤＵセッションがＭＡをサポートする時に、前記端末装置が前記非３ＧＰＰネットワークによるＭＡ  ＰＤＵセッション確立を開始することを確定すること、又は
前記ＰＤＵセッションがＭＡをサポートしない時に、前記端末装置が前記非３ＧＰＰネットワークによるＭＡ  ＰＤＵセッション確立を開始しないことを確定することを含むことを特徴とする
請求項１５  に記載の方法。
【請求項１７】
セッション管理方法であって、端末装置が４Ｇネットワークにおいてパケットデータネットワーク（ＰＤＮ）接続を確立し、前記端末装置が４Ｇネットワークから５Ｇネットワークに移動した後、前記方法は、
第一のネットワーク装置が前記端末装置へ第一の指示情報を送信し、前記第一の指示情報が、前記ＰＤＮ接続に対応するプロトコルデータユニット（ＰＤＵ）セッションがマルチアクセス技術（ＭＡ）をサポートするか否かを示すことに用いられ、ＭＡをサポートする場合、前記ＰＤＵセッションが第３世代パートナーシッププログラム（３ＧＰＰ）ネットワークと非３ＧＰＰネットワークを同時に用いてデータを伝送することができることを含む、セッション管理方法。
【請求項１８】
前記第一のネットワーク装置が前記端末装置へ前記第一の指示情報を送信する前に、前記方法はさらに、
前記第一のネットワーク装置が前記端末装置から送信された第一の情報を受信し、前記第一の情報が前記ＰＤＵセッションの変更をリクエストすることに用いられることを含み、
前記第一のネットワーク装置が前記端末装置へ第一の指示情報を送信することは、
前記第一のネットワーク装置が前記端末装置へ第二の情報を送信し、前記第二の情報が前記端末装置によって開始された前記ＰＤＵセッションを変更するリクエストを受信することを示すことに用いられ、前記第二の情報が前記第一の指示情報を含むことを含むことを特徴とする
請求項１７に記載の方法。
【請求項１９】
前記第一の情報は第二の指示情報を含み、前記第二の指示情報は、前記端末装置がＭＡ  ＰＤＵセッションをサポートする能力を有することを示すことに用いられることを特徴とする
請求項１８に記載の方法。
【請求項２０】
前記第一のネットワーク装置が前記端末装置へ前記第二の情報を送信する前に、前記方法はさらに、
前記第一のネットワーク装置が第二のネットワーク装置へ前記端末装置に対するコンテキスト更新リクエストを送信することと、
前記第一のネットワーク装置が前記第二のネットワーク装置から送信された前記端末装置に対するコンテキスト更新応答を受信し、前記コンテキスト更新応答が前記第一の指示情報を含むこととを含むことを特徴とする
請求項１８に記載の方法。
【請求項２１】
前記第一のネットワーク装置が前記端末装置へ前記第二の情報を送信する前に、前記方法はさらに、
前記第一のネットワーク装置が第二のネットワーク装置へ前記端末装置に対するコンテキスト更新リクエストを送信し、前記コンテキスト更新リクエストが前記第二の指示情報を含むことと、
前記第一のネットワーク装置が前記第二のネットワーク装置から送信された前記端末装置に対するコンテキスト更新応答を受信し、前記コンテキスト更新応答が前記第一の指示情報を含むこととを含むことを特徴とする
請求項１９に記載の方法。
【請求項２２】
前記第一のネットワーク装置が前記端末装置へ第一の指示情報を送信することは、
前記第一のネットワーク装置が前記端末装置へ第三の情報を送信し、前記第三の情報がアクセス技術ステアリングスイッチング分割（ＡＴＳＳＳ）ポリシーを示すことに用いられ、前記第三の情報が前記第一の指示情報を含むことを含むことを特徴とする
請求項１７に記載の方法。
【請求項２３】
セッション管理方法であって、端末装置が４Ｇネットワークにおいてパケットデータネットワーク（ＰＤＮ）接続を確立し、前記端末装置が４Ｇネットワークから５Ｇネットワークに移動した後、前記方法は、
第二のネットワーク装置が第一のネットワーク装置から送信された、前記端末装置に対するコンテキスト更新リクエストを受信することと、
前記第二のネットワーク装置が前記第一のネットワーク装置へ前記端末装置に対するコンテキスト更新応答を送信し、前記コンテキスト更新応答が第一の指示情報を含み、前記第一の指示情報が、前記ＰＤＮ接続に対応するプロトコルデータユニット（ＰＤＵ）セッションがマルチアクセス技術（ＭＡ）をサポートするか否かを示すことに用いられ、ＭＡをサポートする場合、前記ＰＤＵセッションが第３世代パートナーシッププログラム（３ＧＰＰ）ネットワークと非３ＧＰＰネットワークを同時に用いてデータを伝送することができることとを含む、セッション管理方法。
【請求項２４】
前記コンテキスト更新リクエストは第二の指示情報を含み、前記第二の指示情報は、前記端末装置がＭＡ  ＰＤＵセッションをサポートする能力を有することを示すことに用いられ、
前記第二のネットワーク装置が前記第一のネットワーク装置へ前記端末装置に対するコンテキスト更新応答を送信することは、
前記第二の指示情報を受信した後、前記第二のネットワーク装置が、前記ＰＤＵセッションがＭＡをサポートするか否かを確定し、前記第一のネットワーク装置へ前記コンテキスト更新応答を送信することを含むことを特徴とする
請求項２３に記載の方法。
【請求項２５】
端末装置であって、
第一のネットワーク装置へ第一の情報を送信するように構成され、前記第一の情報がパケットデータネットワーク（ＰＤＮ）接続の確立をリクエストすることに用いられる通信ユニットを備え、
前記通信ユニットは、さらに前記第一のネットワーク装置から送信された第二の情報を受信するように構成され、前記第二の情報が前記端末装置によって開始されたＰＤＮ接続確立リクエストを受信することを示すことに用いられ、前記第二の情報が第一の指示情報を含み、前記第一の指示情報が、前記端末装置が４Ｇネットワークから５Ｇネットワークに移動した後に前記ＰＤＮ接続に対応するプロトコルデータユニット（ＰＤＵ）セッションがマルチアクセス技術（ＭＡ）をサポートするか否かを示すことに用いられ、ＭＡをサポートする場合、前記ＰＤＵセッションが第３世代パートナーシッププログラム（３ＧＰＰ）ネットワークと非３ＧＰＰネットワークを同時に用いてデータを伝送することができる、端末装置。
【請求項２６】
前記第一の情報は第二の指示情報を含み、前記第二の指示情報は、前記端末装置がＭＡ  ＰＤＵセッションをサポートする能力を有することを示すことに用いられることを特徴とする
請求項２５に記載の端末装置。
【請求項２７】
前記端末装置はさらに、
前記端末装置が４Ｇネットワークから５Ｇネットワークに移動した後、前記ＰＤＵセッションがＭＡをサポートするか否かに応じて、前記非３ＧＰＰネットワークによるＭＡ  ＰＤＵセッション確立を開始するか否かを確定するように構成される処理ユニットを備えることを特徴とする
請求項２５又は２６に記載の端末装置。
【請求項２８】
前記処理ユニットは具体的に、
前記ＰＤＵセッションがＭＡをサポートする時に、前記非３ＧＰＰネットワークによるＭＡ  ＰＤＵセッション確立を開始することを確定するように構成され、又は
前記ＰＤＵセッションがＭＡをサポートしない時に、前記非３ＧＰＰネットワークによるＭＡ  ＰＤＵセッション確立を開始しないことを確定するように構成されることを特徴とする
請求項２７に記載の端末装置。
【請求項２９】
ネットワーク装置であって、
端末装置から送信された第一の情報を受信するように構成され、前記第一の情報がパケットデータネットワーク（ＰＤＮ）接続の確立をリクエストすることに用いられる通信ユニットを備え、
前記第一の情報に応答して、前記通信ユニットは、さらに前記端末装置へ第二の情報を送信するように構成され、前記第二の情報が前記端末装置によって開始されたＰＤＮ接続確立を受け入れることを示すことに用いられ、前記第二の情報が第一の指示情報を含み、前記第一の指示情報が、前記端末装置が４Ｇネットワークから５Ｇネットワークに移動した後に前記ＰＤＮ接続に対応するプロトコルデータユニット（ＰＤＵ）セッションがマルチアクセス技術（ＭＡ）をサポートするか否かを示すことに用いられ、ＭＡをサポートする場合、前記ＰＤＵセッションが第３世代パートナーシッププログラム（３ＧＰＰ）ネットワークと非３ＧＰＰネットワークを同時に用いてデータを伝送することができる、ネットワーク装置。
【請求項３０】
前記第一の情報は第二の指示情報を含み、前記第二の指示情報は、前記端末装置がＭＡ  ＰＤＵセッションをサポートする能力を有することを示すことに用いられることを特徴とする
請求項２９に記載のネットワーク装置。
【請求項３１】
前記通信ユニットが前記端末装置へ前記第二の情報を送信する前に、前記通信ユニットはさらに、
第二のネットワーク装置へセッション確立リクエストを送信し、
前記第二のネットワーク装置から送信されたセッション確立応答を受信するように構成され、前記セッション確立応答が前記第一の指示情報を含むことを特徴とする
請求項２９に記載のネットワーク装置。
【請求項３２】
前記通信ユニットが前記端末装置へ前記第二の情報を送信する前に、前記通信ユニットはさらに、
第二のネットワーク装置へセッション確立リクエストを送信し、前記セッション確立リクエストが前記第二の指示情報を含み、
前記第二のネットワーク装置から送信されたセッション確立応答を受信するように構成され、前記セッション確立応答が前記第一の指示情報を含むことを特徴とする
請求項３０に記載のネットワーク装置。
【請求項３３】
ネットワーク装置であって、
第一のネットワーク装置から送信されたセッション確立リクエストを受信するように構成される通信ユニットを備え、
前記通信ユニットはさらに前記第一のネットワーク装置へセッション確立応答を送信するように構成され、前記セッション確立応答が第一の指示情報を含み、前記第一の指示情報が、端末装置が４Ｇネットワークから５Ｇネットワークに移動した後に前記端末装置が４Ｇネットワークの場合に確立したパケットデータネットワーク（ＰＤＮ）接続に対応するプロトコルデータユニット（ＰＤＵ）セッションがマルチアクセス技術（ＭＡ）をサポートするか否かを示すことに用いられ、ＭＡをサポートする場合、前記ＰＤＵセッションが第３世代パートナーシッププログラム（３ＧＰＰ）ネットワークと非３ＧＰＰネットワークを同時に用いてデータを伝送することができることとを含む、ネットワーク装置。
【請求項３４】
前記セッション確立リクエストは、第二の指示情報を含み、前記第二の指示情報は、前記端末装置がＭＡ  ＰＤＵセッションをサポートする能力を有することを示すことに用いられ、
前記ネットワーク装置はさらに、
前記通信ユニットが前記第二の指示情報を受信した後、前記ＰＤＵセッションがＭＡをサポートするか否かを確定し、前記第一のネットワーク装置へ前記セッション確立応答を送信するように前記通信ユニットを制御するように構成される処理ユニットを備えることを特徴とする
請求項３３に記載のネットワーク装置。
【請求項３５】
端末装置であって、前記端末装置が４Ｇネットワークにおいてパケットデータネットワーク（ＰＤＮ）接続を確立し、前記端末装置が４Ｇネットワークから５Ｇネットワークに移動した後、前記端末装置は、
第一のネットワーク装置から送信された第一の指示情報を受信するように構成され、前記第一の指示情報が、前記ＰＤＮ接続に対応するプロトコルデータユニット（ＰＤＵ）セッションがマルチアクセス技術（ＭＡ）をサポートするか否かを示すことに用いられ、ＭＡをサポートする場合、前記ＰＤＵセッションが第３世代パートナーシッププログラム（３ＧＰＰ）ネットワークと非３ＧＰＰネットワークを同時に用いてデータを伝送することができる通信ユニットを備える、端末装置。
【請求項３６】
前記通信ユニットが前記第一のネットワーク装置から送信された前記第一の指示情報を受信する前に、前記通信ユニットは、さらに前記第一のネットワーク装置へ第一の情報を送信するように構成され、前記第一の情報が前記ＰＤＵセッションの変更をリクエストすることに用いられ、
前記通信ユニットは具体的に、
前記第一のネットワーク装置から送信された前記第二の情報を受信するように構成され、前記第二の情報が、前記端末装置によって開始された前記ＰＤＵセッションを変更するリクエストを受信することを示すことに用いられ、前記第二の情報が前記第一の指示情報を含むことを特徴とする
請求項３５に記載の端末装置。
【請求項３７】
前記第一の情報は第二の指示情報を含み、前記第二の指示情報は、前記端末装置がＭＡ  ＰＤＵセッションをサポートする能力を有することを示すことに用いられることを特徴とする
請求項３６に記載の端末装置。
【請求項３８】
前記通信ユニットは具体的に、
前記第一のネットワーク装置から送信された第三の情報を受信するように構成され、前記第三の情報がアクセス技術ステアリングスイッチング分割（ＡＴＳＳＳ）ポリシーを示すことに用いられ、前記第三の情報が前記第一の指示情報を含むことを特徴とする
請求項３５に記載の端末装置。
【請求項３９】
前記端末装置はさらに、
前記ＰＤＵセッションがＭＡをサポートするか否かに応じて、前記非３ＧＰＰネットワークによるＭＡ  ＰＤＵセッション確立を開始するか否かを確定するように構成される処理ユニットを備えることを特徴とする
請求項３５−３８のいずれか一項に記載の端末装置。
【請求項４０】
前記処理ユニットは具体的に、
前記ＰＤＵセッションがＭＡをサポートする時に、前記非３ＧＰＰネットワークによるＭＡ  ＰＤＵセッション確立を開始することを確定するように構成され、又は
前記ＰＤＵセッションがＭＡをサポートしない時に、前記非３ＧＰＰネットワークによるＭＡ  ＰＤＵセッション確立を開始しないことを確定するように構成されることを特徴とする
請求項３９に記載の端末装置。
【請求項４１】
ネットワーク装置であって、端末装置が４Ｇネットワークにおいてパケットデータネットワーク（ＰＤＮ）接続を確立し、前記端末装置が４Ｇネットワークから５Ｇネットワークに移動した後、前記ネットワーク装置は、
前記端末装置へ第一の指示情報を送信するように構成され、前記第一の指示情報が、前記ＰＤＮ接続に対応するプロトコルデータユニット（ＰＤＵ）セッションがマルチアクセス技術（ＭＡ）をサポートするか否かを示すことに用いられ、ＭＡをサポートする場合、前記ＰＤＵセッションが第３世代パートナーシッププログラム（３ＧＰＰ）ネットワークと非３ＧＰＰネットワークを同時に用いてデータを伝送することができる通信ユニットを備える、ネットワーク装置。
【請求項４２】
前記通信ユニットが前記端末装置へ前記第一の指示情報を送信する前に、前記通信ユニットは、さらに前記端末装置から送信された第一の情報を受信するように構成され、前記第一の情報が前記ＰＤＵセッションの変更をリクエストすることに用いられ、
前記通信ユニットは具体的に、
前記端末装置へ第二の情報を送信するように構成され、前記第二の情報が前記端末装置によって開始された前記ＰＤＵセッションを変更するリクエストを受信することを示すことに用いられ、前記第二の情報が前記第一の指示情報を含むことを特徴とする
請求項４１に記載のネットワーク装置。
【請求項４３】
前記第一の情報は第二の指示情報を含み、前記第二の指示情報は、前記端末装置がＭＡ  ＰＤＵセッションをサポートする能力を有することを示すことに用いられることを特徴とする
請求項４２に記載のネットワーク装置。
【請求項４４】
前記通信ユニットが前記端末装置へ前記第二の情報を送信する前に、前記通信ユニットはさらに、
第二のネットワーク装置へ前記端末装置に対するコンテキスト更新リクエストを送信し、
前記第二のネットワーク装置から送信された前記端末装置に対するコンテキスト更新応答を受信するように構成され、前記コンテキスト更新応答が前記第一の指示情報を含むことを特徴とする
請求項４２に記載のネットワーク装置。
【請求項４５】
前記通信ユニットが前記端末装置へ前記第二の情報を送信する前に、前記通信ユニットはさらに、
第二のネットワーク装置へ前記端末装置に対するコンテキスト更新リクエストを送信し、前記コンテキスト更新リクエストが前記第二の指示情報を含み、
前記第二のネットワーク装置から送信された前記端末装置に対するコンテキスト更新応答を受信するように構成され、前記コンテキスト更新応答が前記第一の指示情報を含むことを特徴とする
請求項４３に記載のネットワーク装置。
【請求項４６】
前記通信ユニットは具体的に、
前記端末装置へ第三の情報を送信するように構成され、前記第三の情報がアクセス技術ステアリングスイッチング分割（ＡＴＳＳＳ）ポリシーを示すことに用いられ、前記第三の情報が前記第一の指示情報を含むことを特徴とする
請求項４１に記載のネットワーク装置。
【請求項４７】
ネットワーク装置であって、端末装置が４Ｇネットワークにおいてパケットデータネットワーク（ＰＤＮ）接続を確立し、前記端末装置が４Ｇネットワークから５Ｇネットワークに移動した後、前記ネットワーク装置は、
第一のネットワーク装置から送信された、前記端末装置に対するコンテキスト更新リクエストを受信するように構成される通信ユニットを備え、
前記通信ユニットは、さらに前記第一のネットワーク装置へ前記端末装置に対するコンテキスト更新応答を送信するように構成され、前記コンテキスト更新応答が第一の指示情報を含み、前記第一の指示情報が、前記ＰＤＮ接続に対応するプロトコルデータユニット（ＰＤＵ）セッションがマルチアクセス技術（ＭＡ）をサポートするか否かを示すことに用いられ、ＭＡをサポートする場合、前記ＰＤＵセッションが第３世代パートナーシッププログラム（３ＧＰＰ）ネットワークと非３ＧＰＰネットワークを同時に用いてデータを伝送することができる、ネットワーク装置。
【請求項４８】
前記コンテキスト更新リクエストは第二の指示情報を含み、前記第二の指示情報は、前記端末装置がＭＡ  ＰＤＵセッションをサポートする能力を有することを示すことに用いられ、
前記ネットワーク装置はさらに、
前記通信ユニットが前記第二の指示情報を受信した後、前記ＰＤＵセッションがＭＡをサポートするか否かを確定し、前記第一のネットワーク装置へ前記コンテキスト更新応答を送信するように前記通信ユニットを制御するように構成される処理ユニットを備えることを特徴とする
請求項４７に記載のネットワーク装置。
【請求項４９】
端末装置であって、プロセッサとメモリを備え、該メモリがコンピュータプログラムを記憶するように構成され、前記プロセッサが前記メモリに記憶されたコンピュータプログラムを呼び出して実行し、請求項１−４のいずれか一項に記載の方法を実行するように構成される、端末装置。
【請求項５０】
ネットワーク装置であって、プロセッサとメモリを備え、該メモリがコンピュータプログラムを記憶するように構成され、前記プロセッサが前記メモリに記憶されたコンピュータプログラムを呼び出して実行し、請求項５−８のいずれか一項に記載の方法を実行するように構成される、ネットワーク装置。
【請求項５１】
ネットワーク装置であって、プロセッサとメモリを備え、該メモリがコンピュータプログラムを記憶するように構成され、前記プロセッサが前記メモリに記憶されたコンピュータプログラムを呼び出して実行し、請求項９又は１０に記載の方法を実行するように構成される、ネットワーク装置。
【請求項５２】
端末装置であって、プロセッサとメモリを備え、該メモリがコンピュータプログラムを記憶するように構成され、前記プロセッサが前記メモリに記憶されたコンピュータプログラムを呼び出して実行し、請求項１１−１６のいずれか一項に記載の方法を実行するように構成される、端末装置。
【請求項５３】
ネットワーク装置であって、プロセッサとメモリを備え、該メモリがコンピュータプログラムを記憶するように構成され、前記プロセッサが前記メモリに記憶されたコンピュータプログラムを呼び出して実行し、請求項１７−２２のいずれか一項に記載の方法を実行するように構成される、ネットワーク装置。
【請求項５４】
ネットワーク装置であって、プロセッサとメモリを備え、該メモリがコンピュータプログラムを記憶するように構成され、前記プロセッサが前記メモリに記憶されたコンピュータプログラムを呼び出して実行し、請求項２３又は２４に記載の方法を実行するように構成される、ネットワーク装置。
【請求項５５】
チップであって、前記チップが取り付けられる装置に請求項１−４のいずれか一項に記載の方法を実行させるためのコンピュータプログラムをメモリから呼び出して実行するように構成されるプロセッサを備える、チップ。
【請求項５６】
チップであって、前記チップが取り付けられる装置に請求項５−８のいずれか一項に記載の方法を実行させるためのコンピュータプログラムをメモリから呼び出して実行するように構成されるプロセッサを備える、チップ。
【請求項５７】
チップであって、前記チップが取り付けられる装置に請求項９又は１０に記載の方法を実行させるためのコンピュータプログラムをメモリから呼び出して実行するように構成されるプロセッサを備える、チップ。
【請求項５８】
チップであって、前記チップが取り付けられる装置に請求項１１−１６のいずれか一項に記載の方法を実行させるためのコンピュータプログラムをメモリから呼び出して実行するように構成されるプロセッサを備える、チップ。
【請求項５９】
チップであって、前記チップが取り付けられる装置に請求項１７−２２のいずれか一項に記載の方法を実行させるためのコンピュータプログラムをメモリから呼び出して実行するように構成されるプロセッサを備える、チップ。
【請求項６０】
チップであって、前記チップが取り付けられる装置に請求項２３又は２４に記載の方法を実行させるためのコンピュータプログラムをメモリから呼び出して実行するように構成されるプロセッサを備える、チップ。
【請求項６１】
コンピュータ可読記憶媒体であって、コンピュータプログラムを記憶することに用いられ、前記コンピュータプログラムによりコンピュータが請求項１−４のいずれか一項に記載される方法を実行する、コンピュータ可読記憶媒体。
【請求項６２】
コンピュータ可読記憶媒体であって、コンピュータプログラムを記憶することに用いられ、前記コンピュータプログラムによりコンピュータが請求項５−８のいずれか一項に記載される方法を実行する、コンピュータ可読記憶媒体。
【請求項６３】
コンピュータ可読記憶媒体であって、コンピュータプログラムを記憶することに用いられ、前記コンピュータプログラムによりコンピュータが請求項９又は１０に記載される方法を実行する、コンピュータ可読記憶媒体。
【請求項６４】
コンピュータ可読記憶媒体であって、コンピュータプログラムを記憶することに用いられ、前記コンピュータプログラムによりコンピュータが請求項１１−１６のいずれか一項に記載される方法を実行する、コンピュータ可読記憶媒体。
【請求項６５】
コンピュータ可読記憶媒体であって、コンピュータプログラムを記憶することに用いられ、前記コンピュータプログラムによりコンピュータが請求項１７−２２のいずれか一項に記載される方法を実行する、コンピュータ可読記憶媒体。
【請求項６６】
コンピュータ可読記憶媒体であって、コンピュータプログラムを記憶することに用いられ、前記コンピュータプログラムによりコンピュータが請求項２３又は２４に記載される方法を実行する、コンピュータ可読記憶媒体。
【請求項６７】
コンピュータプログラム製品であって、コンピュータプログラム命令を含み、該コンピュータプログラム命令によりコンピュータが請求項１−４のいずれか一項に記載の方法を実行する、コンピュータプログラム製品。
【請求項６８】
コンピュータプログラム製品であって、コンピュータプログラム命令を含み、該コンピュータプログラム命令によりコンピュータが請求項５−８のいずれか一項に記載される方法を実行する、コンピュータプログラム製品。
【請求項６９】
コンピュータプログラム製品であって、コンピュータプログラム命令を含み、該コンピュータプログラム命令によりコンピュータが請求項９又は１０に記載される方法を実行する、コンピュータプログラム製品。
【請求項７０】
コンピュータプログラム製品であって、コンピュータプログラム命令を含み、該コンピュータプログラム命令によりコンピュータが請求項１１−１６のいずれか一項に記載される方法を実行する、コンピュータプログラム製品。
【請求項７１】
コンピュータプログラム製品であって、コンピュータプログラム命令を含み、該コンピュータプログラム命令によりコンピュータが請求項１７−２２のいずれか一項に記載される方法を実行する、コンピュータプログラム製品。
【請求項７２】
コンピュータプログラム製品であって、コンピュータプログラム命令を含み、該コンピュータプログラム命令によりコンピュータが請求項２３又は２４に記載される方法を実行する、コンピュータプログラム製品。
【請求項７３】
コンピュータプログラムであって、前記コンピュータプログラムによりコンピュータが請求項１−４のいずれか一項に記載の方法を実行する、コンピュータプログラム。
【請求項７４】
コンピュータプログラムであって、前記コンピュータプログラムによりコンピュータが請求項５−８のいずれか一項に記載の方法を実行する、コンピュータプログラム。
【請求項７５】
コンピュータプログラムであって、前記コンピュータプログラムによりコンピュータが請求項９又は１０に記載の方法を実行する、コンピュータプログラム。
【請求項７６】
コンピュータプログラムであって、前記コンピュータプログラムによりコンピュータが請求項１１−１６のいずれか一項に記載の方法を実行する、コンピュータプログラム。
【請求項７７】
コンピュータプログラムであって、前記コンピュータプログラムによりコンピュータが請求項１７−２２のいずれか一項に記載の方法を実行する、コンピュータプログラム。
【請求項７８】
コンピュータプログラムであって、前記コンピュータプログラムによりコンピュータが請求項２３又は２４に記載の方法を実行する、コンピュータプログラム。
【発明の詳細な説明】
【技術分野】
【０００１】
本出願の実施例は通信分野に関し、且つより具体的には、セッション管理方法、端末装置とネットワーク装置に関する。
【背景技術】
【０００２】
第５世代移動体通信技術（５Ｇ：５−Ｇｅｎｅｒａｔｉｏｎ）ネットワークにおいて、１つのプロトコルデータユニット（ＰＤＵ：Ｐｒｏｔｏｃｏｌ  Ｄａｔａ  Ｕｎｉｔ）セッション（Ｓｅｓｓｉｏｎ）は、マルチアクセス技術（ＭＡ：Ｍｕｌｔｉ−Ａｃｃｅｓｓ）を用いてデータを伝送し、つまり、第３世代パートナーシッププロジェクト（３ＧＰＰ：
Ｔｈｅ  ３ｒｄ  Ｇｅｎｅｒａｔｉｏｎ  Ｐａｒｔｎｅｒｓｈｉｐ  Ｐｒｏｊｅｃｔ）（例えば、長期進化（ＬＴＥ：Ｌｏｎｇ  Ｔｅｒｍ  Ｅｖｏｌｕｔｉｏｎ）、新しい無線（ＮＲ：Ｎｅｗ  Ｒａｄｉｏ  ））及び非３ＧＰＰ（Ｎｏｎ−３ＧＰＰ）（無線ローカルエリアネットワーク（ＷＬＡＮ：Ｗｉｒｅｌｅｓｓ  ＬＡＮ）アクセス技術を同時に用いることができる。しかしながら、第４世代移動体通信技術（４Ｇ：４−Ｇｅｎｅｒａｔｉｏｎ）ネットワークが上記マルチアクセス（Ｍｕｌｔｉ−Ａｃｃｅｓｓ）技術をサポートしなく、端末装置が４Ｇネットワークから５Ｇネットワークに移動した場合、端末装置はマルチアクセス（Ｍｕｌｔｉ−Ａｃｃｅｓｓ）技術をサポートしても、マルチアクセス（Ｍｕｌｔｉ−Ａｃｃｅｓｓ）技術を用いなく、したがって、どのように端末装置が４Ｇネットワークから５Ｇネットワークに移動した場合にマルチアクセス（Ｍｕｌｔｉ−Ａｃｃｅｓｓ）技術を用いるようにするかは、解決すべき問題である。
【発明の概要】
【発明が解決しようとする課題】
【０００３】
本出願の実施例は、セッション管理方法、端末装置とネットワーク装置を提供する。端末装置が４Ｇネットワークから５Ｇネットワークに移動した後、ＰＤＵセッションがＭＡをサポートする場合、データを伝送するための非３ＧＰＰネットワークを確立することができ、これにより、端末装置は、より高い伝送レートを取得することができ、より多くの料金を節約することもできるが、ネットワーク装置は、非３ＧＰＰの無線リソースをより効率的に利用し、伝送レートを向上させることができる。
【課題を解決するための手段】
【０００４】
第一の態様によるセッション管理方法は、
端末装置が第一のネットワーク装置へ第一の情報を送信し、前記第一の情報がパケットデータネットワーク（ＰＤＮ：Ｐａｃｋｅｔ  Ｄａｔａ  Ｎｅｔｗｏｒｋ）接続の確立をリクエストすることに用いられることと、
前記端末装置が前記第一のネットワーク装置から送信された第二の情報を受信し、前記第二の情報が前記端末装置によって開始された前記ＰＤＮ接続確立リクエストを受信することを示すことに用いられ、前記第二の情報が第一の指示情報を含み、前記第一の指示情報が、前記端末装置が４Ｇネットワークから５Ｇネットワークに移動した後に前記ＰＤＮ接続に対応するＰＤＵセッションがＭＡをサポートするか否かを示すことに用いられ、ＭＡをサポートする場合、前記ＰＤＵセッションが３ＧＰＰネットワークと非３ＧＰＰネットワークを同時に用いてデータを伝送することができることとを含む。
【０００５】
理解すべきものとして、非３ＧＰＰネットワークを用いてデータを伝送する場合、本端末装置は、より高い伝送レートを取得することができ、より多くの料金を節約することもできるが、ネットワーク装置は、非３ＧＰＰの無線リソースをより効率的に利用し、伝送レートを向上させることができる。
【０００６】
第二の態様によるセッション管理方法は、
第一のネットワーク装置が端末装置から送信された第一の情報を受信し、前記第一の情報がＰＤＮ接続の確立をリクエストすることに用いられることと、
前記第一の情報に応答して、前記第一のネットワーク装置が前記端末装置へ第二の情報を送信し、前記第二の情報が前記端末装置によって開始された前記ＰＤＮ接続確立を受け入れることを示すことに用いられ、前記第二の情報が第一の指示情報を含み、前記第一の指示情報が、前記端末装置が４Ｇネットワークから５Ｇネットワークに移動した後に前記ＰＤＮ接続に対応するＰＤＵセッションがＭＡをサポートするか否かを示すことに用いられ、ＭＡをサポートする場合、前記ＰＤＵセッションが３ＧＰＰネットワークと非３ＧＰＰネットワークを同時に用いてデータを伝送することができることとを含む。
【０００７】
第三の態様によるセッション管理方法は、
第二のネットワーク装置が第一のネットワーク装置から送信されたセッション確立リクエストを受信することと、
前記第二のネットワーク装置が前記第一のネットワーク装置へセッション確立応答を送信し、前記セッション確立応答が第一の指示情報を含み、前記第一の指示情報が、端末装置が４Ｇネットワークから５Ｇネットワークに移動した後に前記端末装置が４Ｇネットワークの場合に確立したＰＤＮ接続に対応するＰＤＵセッションがＭＡをサポートするか否かを示すことに用いられ、ＭＡをサポートする場合、前記ＰＤＵセッションが３ＧＰＰネットワークと非３ＧＰＰネットワークを同時に用いてデータを伝送することができることとを含む。
【０００８】
第四の態様によるセッション管理方法は、端末装置が４ＧネットワークにおいてＰＤＮ接続を確立し、前記端末装置が４Ｇネットワークから５Ｇネットワークに移動した後、
前記端末装置が第一のネットワーク装置から送信された第一の指示情報を受信し、前記第一の指示情報が、前記ＰＤＮ接続に対応するＰＤＵセッションがＭＡをサポートするか否かを示すことに用いられ、ＭＡをサポートする場合、前記ＰＤＵセッションが３ＧＰＰネットワークと非３ＧＰＰネットワークを同時に用いてデータを伝送することができることを含む。
【０００９】
第五の態様によるセッション管理方法は、端末装置が４ＧネットワークにおいてＰＤＮ接続を確立し、前記端末装置が４Ｇネットワークから５Ｇネットワークに移動した後、
第一のネットワーク装置が前記端末装置へ第一の指示情報を送信し、前記第一の指示情報が、前記ＰＤＮ接続に対応するＰＤＵセッションがＭＡをサポートするか否かを示すことに用いられ、ＭＡをサポートする場合、前記ＰＤＵセッションが３ＧＰＰネットワークと非３ＧＰＰネットワークを同時に用いてデータを伝送することができることを含む。
【００１０】
第六の態様によるセッション管理方法は、端末装置が４ＧネットワークにおいてＰＤＮ接続を確立し、前記端末装置が４Ｇネットワークから５Ｇネットワークに移動した後、
第二のネットワーク装置が第一のネットワーク装置から送信された、前記端末装置に対するコンテキスト更新リクエストを受信することと、
前記第二のネットワーク装置が前記第一のネットワーク装置へ前記端末装置に対するコンテキスト更新応答を送信し、前記コンテキスト更新応答が第一の指示情報を含み、前記第一の指示情報が、前記ＰＤＮ接続に対応するＰＤＵセッションがＭＡをサポートするか否かを示すことに用いられ、ＭＡをサポートする場合、前記ＰＤＵセッションが３ＧＰＰネットワークと非３ＧＰＰネットワークを同時に用いてデータを伝送することができることとを含む。
【００１１】
第七の態様による端末装置は、上記第一の態様又はその各実施形態における方法を実行することに用いられる。
【００１２】
具体的には、該端末装置は、上記第一の態様又はその各実施形態における方法を実行するための機能モジュールを備える。
【００１３】
第八の態様によるネットワーク装置は、上記第二の態様又はその各実施形態における方法を実行することに用いられる。
【００１４】
具体的には、該ネットワーク置は、上記第二の態様又はその各実施形態における方法を実行するための機能モジュールを備える。
【００１５】
第九の態様によるネットワーク装置は、上記第三の態様又はその各実施形態における方法を実行することに用いられる。
【００１６】
具体的には、該ネットワーク置は、上記第三の態様又はその各実施形態における方法を実行するための機能モジュールを備える。
【００１７】
第十の態様による端末装置は、プロセッサとメモリを備える。該メモリはコンピュータプログラムを記憶するように構成され、該プロセッサは該メモリに記憶されたコンピュータプログラムを呼び出して実行し、上記第一の態様又はその各実施形態における方法を実行するように構成される。
【００１８】
第十一の態様によるネットワーク装置は、プロセッサとメモリを備える。該メモリはコンピュータプログラムを記憶するように構成され、該プロセッサは該メモリに記憶されたコンピュータプログラムを呼び出して実行し、上記第二の態様又はその各実施形態における方法を実行するように構成される。
【００１９】
第十二の態様によるネットワーク装置は、プロセッサとメモリを備える。該メモリはコンピュータプログラムを記憶するように構成され、該プロセッサは、該メモリに記憶されたコンピュータプログラムを呼び出して実行し、上記第三の態様又はその各実施形態における方法を実行するように構成される。
【００２０】
第十三の態様によるチップは、上記第一の態様から第六の態様のいずれかの態様又はその各実施形態における方法を実現することに用いられる。
【００２１】
具体的には、該チップは、該チップが取り付けられる装置に上記第一の態様から第六の態様のいずれかの態様又はその各実施形態における方法を実行させるためのコンピュータをメモリから呼び出して実行するように構成されるプロセッサを備える。
【００２２】
第十四の態様によるコンピュータ可読記憶媒体は、コンピュータプログラムを記憶することに用いられ、該コンピュータプログラムにより、コンピュータが上記第一の態様から第六の態様のいずれかの態様又はその各実施形態における方法を実行する。
【００２３】
第十五の態様によるコンピュータプログラム製品は、コンピュータプログラム命令を含み、前記コンピュータプログラム命令により、コンピュータが上記第一の態様から第六の態様のいずれかの態様又はその各実施形態における方法を実行する。
【００２４】
第十六の態様によるコンピュータプログラムは、コンピュータで実行される場合、コンピュータが上記第一の態様から第六の態様のいずれかの態様又はその各実施形態における方法を実行する。
【発明の効果】
【００２５】
上記技術的解決策により、４Ｇネットワークの場合に確立されたＰＤＮ接続に対応するＰＤＵセッションがＭＡをサポートするか否かが端末装置に通知され、それによって端末装置が４Ｇネットワークから５Ｇネットワークに移動した後、ＰＤＵセッションがＭＡをサポートする場合、データを伝送するための非３ＧＰＰネットワークを確立することができ、これにより、端末装置はより高い伝送レートを取得することができ、より多くの料金を節約することもできるが、ネットワーク装置は、非３ＧＰＰの無線リソースをより効率的に利用し、伝送レートを向上させることができる。
【図面の簡単な説明】
【００２６】
【図１】本出願の実施例による通信システムアーキテクチャの概略図である。
【図２】本出願の実施例によるセッション管理方法の概略フローチャートである。
【図３】本出願の実施例による別のセッション管理方法の概略フローチャートである。
【図４】本出願の実施例による別のセッション管理方法の概略フローチャートである。
【図５】本出願の実施例によるセッション管理方法の概略フローチャートである。
【図６】本出願の実施例による別のセッション管理方法の概略フローチャートである。
【図７】本出願の実施例による別のセッション管理方法の概略フローチャートである。
【図８】本出願の実施例によるさらなる別のセッション管理方法の概略フローチャートである。
【図９】本出願の実施例によるさらなる別のセッション管理方法の概略フローチャートである。
【図１０】本出願の実施例による端末装置の概略ブロック図である。
【図１１】本出願の実施例によるネットワーク装置の概略ブロック図である。
【図１２】本出願の実施例による別のネットワーク装置の概略ブロック図である。
【図１３】本出願の実施例による別の端末装置の概略ブロック図である。
【図１４】本出願の実施例による別のネットワーク装置の概略ブロック図である。
【図１５】本出願の実施例によるさらなる別のネットワーク装置の概略ブロック図である。
【図１６】本出願の実施例による通信装置の概略ブロック図である。
【図１７】本出願の実施例によるチップの概略ブロック図である。
【図１８】本出願の実施例による通信システムの概略ブロック図である。
【発明を実施するための形態】
【００２７】
以下に本出願の実施例の図面を参照しながら本出願の実施例における技術的解決策を説明し、明らかに、説明される実施例は本出願の実施例の一部だけであり、全ての実施例ではない。本出願の実施例に基づき、当業者が創造的な労力を要せずに得る他の実施例は、全て本出願の保護範囲に属する。
【００２８】
本出願の実施例の技術的解決策は、様々な通信システム、例えばグローバルモバイル通信（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎ）システム、符号分割多元アクセス（ＣＤＭＡ：Ｃｏｄｅ  Ｄｉｖｉｓｉｏｎ  Ｍｕｌｔｉｐｌｅ  Ａｃｃｅｓｓ）システム、帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、長期進化型（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、汎用移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、グローバル相互接続マイクロ波アクセス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム又は５Ｇシステム、又は後のバージョンの通信システムに応用されてもよい。
【００２９】
図１には本出願の実施例に応用される無線通信システム１００が示される。該無線通信システム１００はアクセスネットワーク装置１１０を備えることができる。アクセスネットワーク装置１１０は、端末装置と通信する装置であってもよい。アクセスネットワーク装置１１０は、特定の地理的エリアに通信カバレッジを提供することができ、そして該カバレッジエリアに位置する端末装置（例えばＵＥ）と通信を行うことができる。選択可能に、該アクセスネットワーク装置１１０は、次世代無線アクセスネットワーク（ＮＧ  ＲＡＮ：Ｎｅｘｔ  Ｇｅｎｅｒａｔｉｏｎ  Ｒａｄｉｏ  Ａｃｃｅｓｓ  Ｎｅｔｗｏｒｋ）、又はＮＲシステムにおける基地局（ｇＮＢ）、又はクラウド無線アクセスネットワーク（ＣＲＡＮ：Ｃｌｏｕｄ  Ｒａｄｉｏ  Ａｃｃｅｓｓ  Ｎｅｔｗｏｒｋ）における無線コントローラであってもよく、又はアクセスネットワーク装置１１０は、移動スイッチングセンター、中継局、アクセスポイント、車載デバイス、ウェアラブルデバイス、ハブ、スイッチ、ブリッジ、ルータ、５Ｇネットワークにおけるネットワーク側装置又は将来の進化した共通ネットワーク装置又は将来の進化した公衆陸上モバイルネットワーク（ＰＬＭＮ：Ｐｕｂｌｉｃ  Ｌａｎｄ  Ｍｏｂｉｌｅ  Ｎｅｔｗｏｒｋ）におけるネットワーク装置などであってもよい。選択可能に、該アクセスネットワーク装置１１０はＬＴＥシステムにおける基地局、例えば、進化したユニバーサル地上無線アクセスネットワーク（Ｅ−ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）装置であってもよい。
【００３０】
該無線通信システム１００はさらにアクセスネットワーク装置１１０のカバレッジ範囲に位置する少なくとも一つの端末装置１２０を備える。端末装置１２０は移動型又は固定型でもよい。選択可能に、ここで使用される「端末装置」として、公衆交換電話ネットワーク（ＰＳＴＮ：Ｐｕｂｌｉｃ  Ｓｗｉｔｃｈｅｄ  Ｔｅｔｅｎｄｅｄ  Ｔｅｅ  ｗｏｒｋｓ）、デジタル加入者回線（Ｄｉｇｉｔａｌ  Ｓｕｂｓｃｒｉｅｒ  Ｌｉｎｅ、ＤＳＬ）、デジタルケーブル、直接ケーブル接続、及び／又は別のデータ接続／ネットワークなどの有線回線接続、及び／又はセルラネットワーク、無線ＬＡＮ（Ｗｉｒｅｌｅｓｓ  Ｌｏｃａｌ  Ａｒｅａ  Ｎｅｔｗｏｒｋ）、ＤＶＢ−Ｈネットワークのようなデジタルテレビネットワーク、衛星ネットワーク、ＡＭ−ＦＭ放送送信機、及び／又は別の端末装置に対する無線インタフェースを経由して通信信号を受信／送信するように構成される装置、及び／又はモノのインターネット（ＩｏＴ：Ｉｎｔｅｒｎｅｔ  ｏｆ  Ｔｈｉｎｇｓ）装置を含むがこれらに限定されない。無線インタフェースを介して通信するように設けられる端末装置は、「無線通信端末」、「無線端末」又は「移動端末」と呼ばれてもよい。移動端末の例は、衛星電話又はセルラー電話を含むがこれに限定されなく、セルラー無線電話とデータ処理、ファクシミリ及びデータ通信能力を備えたパーソナル通信システム（ＰＣＳ：Ｐｅｒｓｏｎａｌ  Ｃｏｍｍｕｎｉｃａｔｉｏｎｓ  Ｓｙｓｔｅｍ）端末を組み合わせることができ、無線電話、ページャー、インターネット／イントラネットアクセス、Ｗｅｂブラウザー、メモ帳、カレンダー、北斗衛星ナビゲーションシステム（ＢＤＳ：ＢｅｉＤｏｕ  Ｎａｖｉｇａｔｉｏｎ  Ｓａｔｅｌｌｉｔｅ  Ｓｙｓｔｅｍ）及び全地球測位システム（ＧＰＳ：Ｇｌｏｂａｌ  Ｐｏｓｉｔｉｏｎｉｎｇ  Ｓｙｓｔｅｍ）受信機のＰＤＡ、及び従来のラップトップ及び／又はパームトップ受信機又は無線電話トランシーバーを含むその他の電子装置を備えることができる。端末装置は、アクセス端末、ユーザ装置（ＵＥ：Ｕｓｅｒ  Ｅｑｕｉｐｍｅｎｔ）、加入者ユニット、加入者局、移動局、移動ステーション、遠隔局、遠隔端末、移動装置、ユーザ端末、端末、無線通信装置、ユーザエージェント又はユーザ装置を指すことができる。アクセス端末は、セルラー電話、コ
ードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）ステーション、パーソナルデジタル処理（ＰＤＡ：Ｐｅｒｓｏｎａｌ  Ｄｉｇｉｔａｌ  Ａｓｓｉｓｔａｎｔ）、無線通信機能を備えたハンドヘルドデバイス、コンピューティングデバイス又は無線モデムに接続された他の処理装置、車載デバイス、ウェアラブルデバイス、５Ｇネットワークにおける端末装置又は将来の進化したＰＬＭＮネットワークにおける端末装置などであってもよい。
【００３１】
該無線通信システム１００はさらにアクセスネットワーク装置と通信するコアネットワーク装置１３０を備える。選択可能に、該コアネットワーク装置１３０は、５Ｇコアネットワーク装置であってもよく、例えばアクセス及びモビリティ管理機能（ＡＭＦ：Ａｃｃｅｓｓ  ａｎｄ  Ｍｏｂｉｌｉｔｙ  Ｍａｎａｇｅｍｅｎｔ  Ｆｕｎｃｔｉｏｎ）を有し、また、例えばセッション管理機能（ＳＭＦ：Ｓｅｓｓｉｏｎ  Ｍａｎａｇｅｍｅｎｔ  Ｆｕｎｃｔｉｏｎ）有する。選択可能に、該コアネットワーク装置１３０は、ＬＴＥネットワークの進化パケットコアネットワーク（ＥＰＣ：Ｅｖｏｌｖｅｄ  Ｐａｃｋｅｔ  Ｃｏｒｅ）装置であってもよい。選択可能に、該コアネットワーク装置１３０は、さらにいくつかの組み合わせネットワーク要素、例えばセッション管理機能＋コアネットワーク側のパケットゲートウェイ（ＳＭＦ＋ＰＧＷ−Ｃ：Ｓｅｓｓｉｏｎ  Ｍａｎａｇｅｍｅｎｔ  Ｆｕｎｃｔｉｏｎ  ＋  Ｃｏｒｅ  Ｐａｃｋｅｔ  Ｇａｔｅｗａｙ）装置であってもよい。
【００３２】
理解すべきものとして、ＳＭＦ＋ＰＧＷ−Ｃは、ＳＭＦ及びＰＧＷ−Ｃで実現可能な機能を同時に実現することができる。
【００３３】
選択可能に、端末装置同士は端末直接接続（Ｄ２Ｄ：Ｄｅｖｉｃｅ  ｔｏ  Ｄｅｖｉｃｅ）通信を行うことができる。
【００３４】
選択可能に、５Ｇシステム又は５Ｇネットワークはさらに新しい無線（ＮＲ：Ｎｅｗ  Ｒａｄｉｏ）システム又はＮＲネットワークとも呼ばれてもよい。
【００３５】
図１に一つのアクセスネットワーク装置、一つのコアネットワーク装置と２つの端末装置が例示的に示され、選択可能に、該無線通信システム１００は、複数のアクセスネットワーク装置を備えることができ且つ各アクセスネットワーク装置のカバレッジ範囲で他の数の端末装置を備えることができ、本出願の実施例はこれに限定されない。
【００３６】
選択可能に、該無線通信システム１００はさらに移動管理エンティティ（ＭＭＥ：Ｍｏｂｉｌｅ  Ｍａｇｅｅｎｔ  Ｅｎｔｉｔｌｅ）、統一データ管理（ＵＤＭ：Ｕｎｉｆｉｅｄ  Ｄａｔａ  Ｍａｎａｇｅｍｅｎｔ）、認証サーバ機能（ＡＵＳＦ：Ａｕｔｏ  Ｓｅｒｖｅｒ  ｆｕｎｃｔｉｏｎ）、ユーザプレーン機能（ＵＰＦ：Ｕｓｅｒ  Ｐｌａｎｅ  Ｆｕｎｃｔｉｏｎ）、シグナリングゲートウェイ（ＳＧＷ：Ｓｉｇｎａｇ  Ｇａｔｅｗａｙ）等の他のネットワークエンティティを含むことができるが、本出願の実施例はこれに限定されない。
【００３７】
理解すべきものとして、本明細書で用語「システム」と「ネットワーク」は常に本明細書で互換可能に使用される。本明細書では用語「及び／又は」は、関連するオブジェクトの関連関係を記述するためのものだけであり、３種類の関係が存在してもよいことを示し、Ａ及び／又はＢは、Ａが単独で存在すること、ＡとＢが同時に存在すること、Ｂが単独で存在することの３つの状況を示すことができる。また、本明細書では文字「／」は、一般的に前後にある関連オブジェクトが「又は」の関係であることを示す。
【００３８】
図２は本出願の実施例によるセッション管理方法２００の概略フローチャートである。該方法２００は以下を含む。
【００３９】
Ｓ２１０において、端末装置は、第一のネットワーク装置へ第一の情報を送信し、該第一の情報がＰＤＮ接続の確立をリクエストすることに用いられる。
【００４０】
理解すべきものとして、該第一のネットワーク装置は、移動管理エンティティ（ＭＭＥ：Ｍｏｂｉｌｅ  Ｍａｇｅｅｎｔ  Ｅｎｔｉｔｌｅ）であってもよい。
【００４１】
説明すべきものとして、上記ステップＳ２１０を実行する時に、該端末装置は、４Ｇネットワークに接続される。
【００４２】
選択可能に、該第一の情報は、ＰＤＮ接続確立リクエスト（ＰＤＮ  Ｃｏｎｎｅｃｔｉｏｎ  Ｅｓｔａｂｌｉｓｈｍｅｎｔ  Ｒｅｑｕｅｓｔ）であってもよい。
【００４３】
該第一の情報には少なくともプロトコル設定オプション（ＰＣＯ：Ｐｒｏｔｏｃｏｌ  Ｃｏｎｆｉｇｕｒａｔｉｏｎ  Ｏｐｔｉｏｎ）が含まれ、そして該ＰＣＯにセッション識別子（Ｓｅｓｓｉｏｎ  ＩＤ：Ｓｅｓｓｉｏｎ  Ｉｄｅｎｔｉｆｉｅｒ）が含まれる。
【００４４】
理解すべきものとして、上記セッション識別子（Ｓｅｓｓｉｏｎ  ＩＤ）は、該ＰＤＮ接続に対応するＰＤＵセッション（Ｓｅｓｓｉｏｎ）に端末装置によって予め割り当てられたＩＤである。
【００４５】
説明すべきものとして、上記ＰＤＮ接続に対応するＰＤＵセッションは、端末装置が４Ｇネットワークから５Ｇネットワークに移動する時に、端末装置が４Ｇネットワークの場合に確立したＰＤＮ接続が、ＰＤＵセッションに変換される必要があり、そして該ＰＤＮ接続と該ＰＤＵセッションが、同じネットワーク同士が相互に接続するためのプロトコル（ＩＰ）アドレスを有すると理解されてもよい。
【００４６】
Ｓ２２０において、該端末装置は、該第一のネットワーク装置から送信された第二の情報を受信し、該第二の情報が該端末装置によって開始された該ＰＤＮ接続確立リクエストを受信することを示すことに用いられ、該第二の情報が第一の指示情報を含み、該第一の指示情報が、該端末装置が４Ｇネットワークから５Ｇネットワークに移動した後に該ＰＤＮ接続に対応するＰＤＵセッションがＭＡをサポートするか否かを示すことに用いられ、ＭＡをサポートする場合、該ＰＤＵセッションが３ＧＰＰネットワークと非３ＧＰＰネットワークを同時に用いてデータを伝送することができる。
【００４７】
説明すべきものとして、該端末装置が４Ｇネットワークから５Ｇネットワークに移動することは、該端末装置が４Ｇネットワークから５Ｇネットワークにハンドオーバ（ｈａｎｄｏｖｅｒ）すること、又は端末装置が４Ｇネットワークのカバレッジ範囲から５Ｇネットワークのカバレッジ範囲に移動することと理解されてもよい。
【００４８】
選択可能に、該第二の情報は、ＰＤＮ接続確立受け入れ（ＰＤＮ  Ｃｏｎｎｅｃｔｉｏｎ  Ｅｓｔａｂｌｉｓｈｍｅｎｔ  Ａｃｃｅｐｔ）であってもよい。
【００４９】
該第二の情報は少なくともＰＣＯを含み、且つ該ＰＣＯに該第一の指示情報が搬送される。
【００５０】
選択可能に、該第一の指示情報は、該ＰＤＵセッションがＭＡをサポートするか否かを１ビットで示すことができる。例えば、このビットの値が０である時に、該第一の指示情報は、該ＰＤＵセッションがＭＡをサポートしないことを示すことができ、このビットの値が１である時に、該第一の指示情報は該ＰＤＵセッションがＭＡをサポートすることを示すことができる。
【００５１】
説明すべきものとして、上記３ＧＰＰネットワークは、ＬＴＥネットワーク、ＮＲネットワーク、進化した長期進化（ｅＬＴＥ：Ｅｖｏｌｖｅｄ  Ｌｏｎｇ  Ｔｅｒｍ  Ｅｖｏｌｕｔｉｏｎ）ネットワークなどであってもよい。上記非３ＧＰＰネットワークはＷＬＡＮネットワークであってもよい。
【００５２】
理解すべきものとして、非３ＧＰＰネットワークを用いてデータを伝送する場合、端末装置は、より高い伝送レートを取得することができ、より多くの料金を節約することもできるが、ネットワーク装置は、非３ＧＰＰの無線リソースをより効率的に利用し、伝送レートを向上させることができる。
【００５３】
選択可能に、本出願の実施例では、端末装置は２種類に分けられてもよく、第一の種類の端末装置は、ＭＡ  ＰＤＵセッションをサポートする能力を有するように予め構成され、例えばＳＭＦ＋ＰＧＷ−Ｃに予め構成され、即ちＳＭＦ＋ＰＧＷ−Ｃは、この種類の端末装置がＭＡ  ＰＤＵセッションをサポートする能力を有することを直接確定することができ、第二の種類の端末は、ＭＡ  ＰＤＵセッションをサポートする能力を有するように予め構成されなく、即ち、第二の種類の端末装置は、ＭＡ  ＰＤＵセッションをサポートする能力を有する可能性があり、ＭＡ  ＰＤＵセッションをサポートする能力を有しない可能性もあり、言い換えれば、第二の種類の端末装置は、自体の実際の状況に応じて、ＭＡ  ＰＤＵセッションをサポートする能力を有するか否かを確定することができる。
【００５４】
具体的には、一つの例として、上記ステップＳ２２０では、該端末装置は、第一の種類の端末装置であってもよく、即ち該第二のネットワーク装置は、該端末装置がＭＡ  ＰＤＵセッションをサポートする能力を有することをデフォルトにすることができ、この時に、該第二のネットワーク装置は、ＰＤＵセッションがＭＡをサポートするか否かを確定することができ、さらに、端末装置が４Ｇネットワークから５Ｇネットワークに移動した後、該第一の指示情報に基づき、該非３ＧＰＰネットワークによるＭＡ  ＰＤＵセッションの確立を開始するか否かを確定するように、該第二のネットワーク装置は、該第一のネットワーク装置を介して端末装置へ該第一の指示情報を含む第二の情報を送信することができる。
【００５５】
説明すべきものとして、この例では、該第二のネットワーク装置はＳＭＦ＋ＰＧＷ−Ｃであってもよい。
【００５６】
具体的には、別の例として、上記ステップＳ２１０では、該端末装置は、第二の種類の端末装置であってもよく、該端末装置がＭＡ  ＰＤＵセッションをサポートする能力を有することを確定した後、該端末装置は、第一のネットワーク装置へ第二の指示情報を含む第一の情報を送信し、該第二の指示情報は、該端末装置がＭＡ  ＰＤＵセッションをサポートする能力を有することを示すことに用いられ、次に、該第一のネットワーク装置は、該第二の指示情報を第二のネットワーク装置に送信することができ、該端末装置がＭＡ  ＰＤＵセッションをサポートする能力を有することを知った後に、該第二のネットワーク装置はＰＤＵセッションがＭＡをサポートするか否かを確定することができ、さらに、端末装置が４Ｇネットワークから５Ｇネットワークに移動した後、該第一の指示情報に基づき、該非３ＧＰＰネットワークによるＭＡ  ＰＤＵセッションの確立を開始するか否かを確定するように、該第二のネットワーク装置は、該第一のネットワーク装置を介して端末装置へ該第一の指示情報を含む第二の情報を送信することができる。
【００５７】
説明すべきものとして、この例では、該第二のネットワーク装置はＳＭＦ＋ＰＧＷ−Ｃであってもよく、該第二の指示情報はセッションＩＤ（Ｓｅｓｓｉｏｎ  ＩＤ）を含む上記ＰＣＯに搬送されてもよい。
【００５８】
選択可能に、本出願の実施例では、該端末装置が４Ｇネットワークから５Ｇネットワークに移動した後、該端末装置は、該ＰＤＵセッションがＭＡをサポートするか否かに応じて、該非３ＧＰＰネットワークによるＭＡ  ＰＤＵセッションの確立を開始するか否かを確定する。
【００５９】
具体的には、該ＰＤＵセッションがＭＡをサポートする時に、該端末装置は、該非３ＧＰＰネットワークによるＭＡ  ＰＤＵセッションの確立を開始することを確定する。例えば、該端末装置は、ＷＬＡＮネットワークによるＭＡ  ＰＤＵセッションの確立を開始することを確定することができる。
【００６０】
具体的には、該ＰＤＵセッションがＭＡをサポートしない時に、該端末装置は、該非３ＧＰＰネットワークによるＭＡ  ＰＤＵセッションの確立を開始しないことを確定する。
【００６１】
したがって、本出願の実施例では、４Ｇネットワークの場合に確立されたＰＤＮ接続に対応するＰＤＵセッションがＭＡをサポートするか否かが端末装置に通知され、これにより、端末装置が４Ｇネットワークから５Ｇネットワークに移動した後、ＰＤＵセッションがＭＡをサポートする場合、データを伝送するための非３ＧＰＰネットワークを確立することができ、これにより、端末装置はより高い伝送レートを取得することができ、より多くの料金を節約することもできるが、ネットワーク装置は、非３ＧＰＰの無線リソースをより効率的に利用し、伝送レートを向上させることができる。
【００６２】
図３は本出願の実施例によるセッション管理方法３００の概略フローチャートである。該方法３００は以下を含む。
【００６３】
Ｓ３１０において、第一のネットワーク装置は、端末装置から送信された第一の情報を受信し、該第一の情報がＰＤＮ接続の確立をリクエストすることに用いられる。
【００６４】
理解すべきものとして、該第一のネットワーク装置はＭＭＥである。
【００６５】
選択可能に、該第一の情報は第二の指示情報を含み、該第二の指示情報は、該端末装置がＭＡ  ＰＤＵセッションをサポートする能力を有することを示すことに用いられる。
【００６６】
該第一の情報には少なくともＰＣＯが含まれ、且つＰＣＯにセッションＩＤ（Ｓｅｓｓｉｏｎ  ＩＤ）が含まれる。選択可能に、該第二の指示情報はＰＣＯに搬送されてもよい。
【００６７】
Ｓ３２０において、該第一の情報に応答して、該第一のネットワーク装置は該端末装置へ第二の情報を送信し、該第二の情報が該端末装置によって開始された該ＰＤＮ接続確立を受け入れることを示すことに用いられ、該第二の情報が第一の指示情報を含み、該第一の指示情報が、該端末装置が４Ｇネットワークから５Ｇネットワークに移動した後に該ＰＤＮ接続に対応するＰＤＵセッションがＭＡをサポートするか否かを示すことに用いられ、ＭＡをサポートする場合、該ＰＤＵセッションが３ＧＰＰネットワークと非３ＧＰＰネットワークを同時に用いてデータを伝送することができる。
【００６８】
選択可能に、一つの例として、ステップＳ３２０を実行する前に、該方法３００はさらに、
該第一のネットワーク装置が第二のネットワーク装置へセッション確立リクエスト（Ｃｒｅａｔｅ  Ｓｅｓｓｉｏｎ  Ｒｅｑｕｅｓｔ）を送信することと、
該第一のネットワーク装置が該第二のネットワーク装置から送信されたセッション確立応答（Ｃｒｅａｔｅ  Ｓｅｓｓｉｏｎ  Ｒｅｓｐｏｎｓｅ）を受信し、該セッション確立応答が該第一の指示情報を含むこととを含む。
【００６９】
説明すべきものとして、この例では、該第二のネットワーク装置はＳＭＦ＋ＰＧＷ−Ｃであってもよく、該第二のネットワーク装置はＳＭＦの機能だけでなく、ＰＧＷ−Ｃの機能を実現することができる。
【００７０】
選択可能に、該セッション確立リクエストには、少なくとも端末装置識別子と上記第一の情報に含まれるＰＣＯが含まれる。
【００７１】
この例では、該端末装置は第一の種類の端末装置であってもよく、即ち該第二のネットワーク装置は、端末装置がＭＡ  ＰＤＵセッションをサポートする能力を有することをデフォルトにし、この時に、該第二のネットワーク装置が該セッション確立リクエストを受信した後、該第二のネットワーク装置は、アクセスポート名称（ＡＰＮ：Ａｃｃｅｓｓ  Ｐｏｉｎｔ  Ｎａｍｅ）とローカル設定（ローカル設定が例えばサービス設定情報であってもよい）に基づき、該ＰＤＵセッションがＭＡ特性を使用できるか否かを確定することができ、該ＰＤＵセッションがＭＡ特性を使用できる場合、該ＰＤＵセッションがＭＡをサポートできることを確定し、該ＰＤＵセッションがＭＡ特性を使用できない場合、該ＰＤＵセッションがＭＡをサポートできないことを確定し、さらに、該第二のネットワーク装置は、該セッション確立応答に含まれる該第一の指示情報によって、該ＰＤＵセッションがＭＡをサポートするか否かを示すことができる。
【００７２】
選択可能に、この例では、該セッション確立応答には、少なくともＰＣＯが含まれ、且つＰＣＯに該第一の指示情報が含まれる。
【００７３】
選択可能に、別の例として、ステップＳ３２０を実行する前に、該方法３００はさらに、
該第一のネットワーク装置が第二のネットワーク装置へセッション確立リクエストを送信し、該セッション確立リクエストが該第二の指示情報を含むことと、
該第一のネットワーク装置が該第二のネットワーク装置から送信されたセッション確立応答を受信し、該セッション確立応答が該第一の指示情報を含むこととを含む。
【００７４】
説明すべきものとして、この例では、該第二のネットワーク装置はＳＭＦ＋ＰＧＷ−Ｃであってもよい。
【００７５】
選択可能に、該セッション確立リクエストには、少なくとも端末装置識別子と上記第一の情報に含まれるＰＣＯが含まれ、且つＰＣＯに該第二の指示情報が含まれる。
【００７６】
この例では、該端末装置は第二の種類の端末装置であってもよく、該第一のネットワーク装置は、セッション確立リクエストにおいて、端末装置がＭＡ  ＰＤＵセッションをサポートする能力を有することを示し、該第二のネットワーク装置が該セッション確立リクエストを受信した後、該第二のネットワーク装置は、ＡＰＮとローカル設定（ローカル設定が例えばサービス設定情報であってもよい）に基づき、該ＰＤＵセッションがＭＡ特性を使用できるか否かを確定することができ、該ＰＤＵセッションがＭＡ特性を使用できる場合、該ＰＤＵセッションがＭＡをサポートできることを確定し、該ＰＤＵセッションがＭＡ特性を使用できない場合、該ＰＤＵセッションがＭＡをサポートできないことを確定し、さらに、該第二のネットワーク装置は、該セッション確立応答に含まれる該第一の指示情報によって、該ＰＤＵセッションがＭＡをサポートするか否かを示すことができる。
【００７７】
選択可能に、この例では、該セッション確立応答には、少なくともＰＣＯが含まれ、且つＰＣＯに該第一の指示情報が含まれる。
【００７８】
説明すべきものとして、上記ＡＰＮは端末装置によって報告されるものであってもよいし、第一のネットワーク装置によって選択される、端末装置にサブスクライブされたデフォルトＡＰＮであってもよい。
【００７９】
選択可能に、上記例では、該第一のネットワーク装置は、該ＡＰＮに基づいて、該端末装置のための一つの組み合わせネットワーク要素（ＳＭＦ＋ＰＧＷ−Ｃ）を第二のネットワーク装置として選択することができる。
【００８０】
理解すべきものとして、セッション管理方法３００のステップについてセッション管理方法２００の対応するステップを参照することができ、簡潔するために、ここで説明を省略しない。
【００８１】
したがって、本出願の実施例では、第一のネットワーク装置は、４Ｇネットワークの場合に確立されたＰＤＮ接続に対応するＰＤＵセッションがＭＡをサポートするか否かを端末装置に通知することができ、これにより、端末装置が４Ｇネットワークから５Ｇネットワークに移動した後、ＰＤＵセッションがＭＡをサポートする場合、データを伝送するための非３ＧＰＰネットワークを確立することができ、これにより、端末装置はより高い伝送レートを取得することができ、より多くの料金を節約することもできるが、ネットワーク装置は、非３ＧＰＰの無線リソースをより効率的に利用し、伝送レートを向上させることができる。
【００８２】
図４は本出願の実施例によるセッション管理方法４００の概略フローチャートである。該方法４００は以下を含む。
【００８３】
Ｓ４１０において、第二のネットワーク装置は、第一のネットワーク装置から送信されたセッション確立リクエストを受信する。
【００８４】
理解すべきものとして、該第二のネットワーク装置はＳＭＦ＋ＰＧＷ−Ｃであってもよく、該第一のネットワーク装置はＭＭＥであってもよい。
【００８５】
選択可能に、該セッション確立リクエストには、少なくとも端末装置識別子、ＡＰＮとＰＣＯが含まれる。
【００８６】
具体的には、該第二のネットワーク装置は、ＡＰＮとローカル設定（ローカル設定が例えばサービス設定情報であってもよい）に基づき、該ＰＤＵセッションがＭＡ特性を使用できるか否かを確定することができ、該ＰＤＵセッションがＭＡ特性を使用できる場合、該ＰＤＵセッションがＭＡをサポートできることを確定し、該ＰＤＵセッションがＭＡ特性を使用できない場合、該ＰＤＵセッションがＭＡをサポートできないことを確定する。
【００８７】
Ｓ４２０において、該第二のネットワーク装置は該第一のネットワーク装置へセッション確立応答を送信し、該セッション確立応答が第一の指示情報を含み、該第一の指示情報が、端末装置が４Ｇネットワークから５Ｇネットワークに移動した後に該端末装置が４Ｇネットワークの場合に確立したＰＤＮ接続に対応するＰＤＵセッションがＭＡをサポートするか否かを示すことに用いられ、ＭＡをサポートする場合、該ＰＤＵセッションが３ＧＰＰネットワークと非３ＧＰＰネットワークを同時に用いてデータを伝送することができる。
【００８８】
選択可能に、該セッション確立応答には、少なくともＰＣＯが含まれ、且つＰＣＯに該第一の指示情報が含まれる。
【００８９】
選択可能に、本出願の実施例では、該セッション確立リクエストは第二の指示情報を含み、該第二の指示情報は、該端末装置がＭＡ  ＰＤＵセッションをサポートする能力を有することを示すことに用いられる。
【００９０】
具体的には、該第二の指示情報は該セッション確立リクエストにおけるＰＣＯに搬送されてもよい。
【００９１】
理解すべきものとして、セッション管理方法４００のステップについてセッション管理方法２００とセッション管理方法３００の対応するステップを参照することができ、簡潔するために、ここで説明を省略しない。
【００９２】
したがって、本出願の実施例では、第二のネットワーク装置は、端末装置が４Ｇネットワークの場合に確立したＰＤＮ接続に対応するＰＤＵセッションがＭＡをサポートするか否かを確定し、第一のネットワーク装置を介して端末装置に通知することができ、これにより、端末装置が４Ｇネットワークから５Ｇネットワークに移動した後、ＰＤＵセッションがＭＡをサポートする場合、データを伝送するための非３ＧＰＰネットワークを確立することができ、これにより、端末装置はより高い伝送レートを取得することができ、より多くの料金を節約することもできるが、ネットワーク装置は、非３ＧＰＰの無線リソースをより効率的に利用し、伝送レートを向上させることができる。
【００９３】
選択可能に、一つの実施例としてもよく、図５に示すように、該方法５００は以下を含む。
【００９４】
Ｓ５１０において、ＵＥは、４Ｇネットワークの場合にＭＭＥへＰＤＮ接続確立リクエストを送信する。
【００９５】
具体的には、該ＰＤＮ接続確立リクエストにＡＰＮ、ＰＣＯが含まれ、ＰＣＯにセッション識別子（Ｓｅｓｓｉｏｎ  ＩＤ）だけでなく、指示情報Ａが含まれ、該指示情報Ａは、端末装置がマルチアクセス（Ｍｕｌｔｉ−Ａｃｃｅｓｓ）ＰＤＵセッションをサポートする能力を有することを示すことに用いられる。
【００９６】
理解すべきものとして、該ＰＤＮ接続確立リクエストはＰＤＮ接続の確立をリクエストすることに用いられる。
【００９７】
説明すべきものとして、該セッション識別子は、ＰＤＮ接続が５Ｇネットワークに移転した後の対応するＰＤＵセッションに端末装置によって予め割り当てられたＩＤである。
【００９８】
Ｓ５２０において、ＭＭＥはＳＭＦ＋ＰＧＷ−Ｃへセッション確立リクエストを送信する。
【００９９】
具体的には、セッション確立リクエストにＵＥ識別子、Ｓ５１０で受信されたＡＰＮとＰＣＯが含まれる。
【０１００】
説明すべきものとして、ＭＭＥは、ＵＥが４Ｇネットワークだけでなく、５Ｇネットワークをサポートすることを知り、ＡＰＮに基づいてＵＥのための一つの組み合わせられたＳＭＦ＋ＰＧＷ−Ｃを選択し、Ｓ５１０におけるＰＤＮ接続確立リクエストにＡＰＮが含まれない場合、ＭＭＥは、ＵＥにサブスクライブされたデフォルトＡＰＮを選択する。
【０１０１】
理解すべきものとして、ＳＭＦ＋ＰＧＷ−Ｃは、ＳＭＦ機能だけでなく、ＰＧＷ−Ｃの機能を実現することができる。
【０１０２】
Ｓ５３０において、ＳＭＦ＋ＰＧＷ−Ｃは、該ＰＤＮ接続に対応するＰＤＵセッションがマルチアクセス（Ｍｕｌｔｉ−Ａｃｃｅｓｓ）をサポートするか否かを確定し、ＭＭＥへセッション確立応答をフィードバックする。
【０１０３】
具体的には、ＳＭＦ＋ＰＧＷ−Ｃは、ＡＰＮ、指示情報Ａとローカル設定に基づき、ＵＥが４Ｇネットワークから５Ｇネットワークに移動した後の該ＰＤＮに対応するＰＤＵセッションがマルチアクセス（Ｍｕｌｔｉ−Ａｃｃｅｓｓ）特性を使用できるか否かを確定することができ、該ＰＤＵセッションがマルチアクセス（Ｍｕｌｔｉ−Ａｃｃｅｓｓ）特性を使用できる場合、該ＰＤＵセッションがマルチアクセス（Ｍｕｌｔｉ−Ａｃｃｅｓｓ）をサポートできることを確定し、該ＰＤＵセッションがマルチアクセス（Ｍｕｌｔｉ−Ａｃｃｅｓｓ）特性を使用できない場合、該ＰＤＵセッションがマルチアクセス（Ｍｕｌｔｉ−Ａｃｃｅｓｓ）をサポートできないことを確定する。
【０１０４】
選択可能に、ＳＭＦ＋ＰＧＷ−Ｃは、該セッション確立応答にＰＣＯを含ませることができ、該ＰＣＯに指示情報Ｂが含まれ、該指示情報Ｂが、該ＰＤＵセッションがマルチアクセス（Ｍｕｌｔｉ−Ａｃｃｅｓｓ）をサポートするか否かを示すことに用いられる。
【０１０５】
選択可能に、該指示情報Ｂは該ＰＤＵセッションがマルチアクセス（Ｍｕｌｔｉ−Ａｃｃｅｓｓ）をサポートするか否かを１ビットで示すことができる。例えば、このビットの値が０である時に、該指示情報Ｂは、該ＰＤＵセッションがマルチアクセス（Ｍｕｌｔｉ−Ａｃｃｅｓｓ）をサポートしないことを示すことができ、このビットの値が１である時に、該指示情報Ｂは該ＰＤＵセッションがマルチアクセス（Ｍｕｌｔｉ−Ａｃｃｅｓｓ）をサポートすることを示すことができる。
【０１０６】
Ｓ５４０において、ＭＭＥは、ＰＤＮ接続確立受け入れをＵＥに返信する。
【０１０７】
具体的には、該ＰＤＮ接続確立受け入れがＳＭＦ＋ＰＧＷ−Ｃによって確定されたＰＣＯを含み、該ＰＣＯがＳ５３０における該セッション確立応答に含まれるＰＣＯである。
【０１０８】
Ｓ５５０において、ＵＥが４Ｇネットワークから５Ｇネットワークに移動した場合、ＵＥは、該第二の指示情報に基づいて該ＰＤＵセッションがマルチアクセス（Ｍｕｌｔｉ−Ａｃｃｅｓｓ）をサポートするか否かを確定する。
【０１０９】
具体的には、該ＰＤＵセッションがマルチアクセス（Ｍｕｌｔｉ−Ａｃｃｅｓｓ）をサポートする場合、ＵＥは、非３ＧＰＰネットワークによるＭＡ  ＰＤＵセッション確立を開始することを確定する。
【０１１０】
図６は本出願の実施例によるセッション管理方法６００の概略フローチャートである。該方法６００では、端末装置が４ＧネットワークにおいてＰＤＮ接続を確立し、前記端末装置が４Ｇネットワークから５Ｇネットワークに移動した後、該方法６００は以下を含む。
【０１１１】
Ｓ６１０において、該端末装置は、第一のネットワーク装置から送信された第一の指示情報を受信し、該第一の指示情報が、該ＰＤＮ接続に対応するＰＤＵセッションがＭＡをサポートするか否かを示すことに用いられ、ＭＡをサポートする場合、該ＰＤＵセッションが３ＧＰＰネットワークと非３ＧＰＰネットワークを同時に用いてデータを伝送することができる。
【０１１２】
選択可能に、本出願の実施例では、該第一のネットワーク装置はＡＭＦであってもよく、この時に、ステップＳ６１０がＰＤＵセッション変更段階に発生することができる。
【０１１３】
具体的には、前記端末装置は前記第一のネットワーク装置へ第一の情報を送信し、前記第一の情報が前記ＰＤＵセッションの変更をリクエストすることに用いられ、
前記端末装置は前記第一のネットワーク装置から送信された前記第二の情報を受信し、前記第二の情報が、前記端末装置によって開始された前記ＰＤＵセッションを変更するリクエストを受信することを示すことに用いられ、前記第二の情報が前記第一の指示情報を含む。
【０１１４】
説明すべきものとして、端末装置が４Ｇネットワークから５Ｇネットワークに移動した後、端末装置がＭＡ  ＰＤＵセッションをサポートする能力を有する場合、５Ｇネットワークに移転された各ＰＤＵセッションに対してＰＤＵセッション変更（ＰＤＵ  Ｓｅｓｓｉｏｎ  Ｍｏｄｉｆｉｃａｔｉｏｎ）を開始する必要がある。
【０１１５】
選択可能に、本出願の実施例では、端末装置は２種類に分けられてもよく、第一の種類の端末装置は、ＭＡ  ＰＤＵセッションをサポートする能力を有するように予め構成され、例えばＳＭＦ＋ＰＧＷ−Ｃに予め構成され、即ちＳＭＦ＋ＰＧＷ−Ｃは、この種類の端末装置がＭＡ  ＰＤＵセッションをサポートする能力を有することを直接確定することができ、第二の種類の端末は、ＭＡ  ＰＤＵセッションをサポートする能力を有するように予め構成されなく、即ち、第二の種類の端末装置は、ＭＡ  ＰＤＵセッションをサポートする能力を有する可能性があり、ＭＡ  ＰＤＵセッションをサポートする能力を有しない可能性もあり、言い換えれば、第二の種類の端末装置は、自体の実際の状況に応じて、ＭＡ  ＰＤＵセッションをサポートする能力を有するか否かを確定することができる。
【０１１６】
具体的には、一つの例として、該端末装置は、第一の種類の端末装置であってもよく、即ち該第二のネットワーク装置は、該端末装置がＭＡ  ＰＤＵセッションをサポートする能力を有することをデフォルトにすることができ、この時に、該第二のネットワーク装置は、ＰＤＵセッションがＭＡをサポートするか否かを確定することができ、さらに、該端末装置が該第一のネットワーク装置へ該第一の情報を送信した後、及び該第一のネットワーク装置が該第二のネットワーク装置へセッション確立リクエストを送信した後、端末装置が該第一の指示情報に基づき、該非３ＧＰＰネットワークによりＭＡ  ＰＤＵセッションの確立を開始するか否かを確定するように、該第二のネットワーク装置は、該第一のネットワーク装置を介して該端末装置へ該第一の指示情報を含む第二の情報を送信することができる。
【０１１７】
具体的には、別の例として、該端末装置は、第二の種類の端末装置であってもよく、該端末装置がＭＡ  ＰＤＵセッションをサポートする能力を有することを確定した後、該端末装置は、第一のネットワーク装置へ第二の指示情報を含む第一の情報を送信し、該第二の指示情報は、該端末装置がＭＡ  ＰＤＵセッションをサポートする能力を有することを示すことに用いられ、次に、該第一のネットワーク装置は、該第二の指示情報を第二のネットワーク装置に送信することができ、該端末装置がＭＡ  ＰＤＵセッションをサポートする能力を有することを知った後に、該第二のネットワーク装置は、ＰＤＵセッションがＭＡをサポートするか否かを確定することができ、さらに、該端末装置が該第一の指示情報に基づき、該非３ＧＰＰネットワークによるＭＡ  ＰＤＵセッション確立を開始するか否かを確定するように、該第二のネットワーク装置は、該第一のネットワーク装置を介して端末装置へ該第一の指示情報を含む第二の情報を送信することができる。
【０１１８】
選択可能に、本出願の実施例では、該第一のネットワーク装置はＰＣＦであってもよく、この時に、ステップＳ６１０が具体的に次の通りである。
【０１１９】
該端末装置は、該第一のネットワーク装置から送信された第三の情報を受信し、前記第三の情報がアクセス技術ステアリングスイッチング分割（ＡＴＳＳＳ：Ａｃｃｅｓｓ  Ｔｅｃｈｎｏｌｏｇｙ  Ｓｔｅｅｒｉｎｇ  Ｓｗｉｔｃｈｉｎｇ  Ｓｐｌｉｔｔｉｎｇ）ポリシーを示すことに用いられ、前記第三の情報が前記第一の指示情報を含む。
【０１２０】
この場合、該第三の情報は非アクセス層（ＮＡＳ：Ｎｏｎ−Ａｃｃｅｓｓ  Ｓｔｒａｔｕｍ）メッセージであってもよい。
【０１２１】
選択可能に、本出願の実施例では、該端末装置は、該ＰＤＵセッションがＭＡをサポートするか否かに応じて、該非３ＧＰＰネットワークによるＭＡ  ＰＤＵセッション確立を開始するか否かを確定する。
【０１２２】
具体的には、該ＰＤＵセッションがＭＡをサポートする時に、該端末装置は、該非３ＧＰＰネットワークによるＭＡ  ＰＤＵセッション確立を開始することを確定する。例えば、該端末装置は、ＷＬＡＮネットワークによるＭＡ  ＰＤＵセッション確立を開始することを確定することができる。
【０１２３】
具体的には、該ＰＤＵセッションがＭＡをサポートしない時に、該端末装置は、該非３ＧＰＰネットワークによるＭＡ  ＰＤＵセッション確立を開始しないことを確定する。
【０１２４】
理解すべきものとして、セッション管理方法６００のステップについてセッション管理方法２００の対応するステップを参照することができ、簡潔するために、ここで説明を省略しない。
【０１２５】
したがって、本出願の実施例では、４Ｇネットワークの場合に確立されたＰＤＮ接続に対応するＰＤＵセッションがＭＡをサポートするか否かが端末装置に通知され、これにより、端末装置が４Ｇネットワークから５Ｇネットワークに移動した後、ＰＤＵセッションがＭＡをサポートする場合、データを伝送するための非３ＧＰＰネットワークを確立することができ、これにより、端末装置はより高い伝送レートを取得することができ、より多くの料金を節約することもできるが、ネットワーク装置は、非３ＧＰＰの無線リソースをより効率的に利用し、伝送レートを向上させることができる。
【０１２６】
図７は本出願の実施例によるセッション管理方法７００の概略フローチャートである。該方法７００では、端末装置が４ＧネットワークにおいてＰＤＮ接続を確立し、前記端末装置が４Ｇネットワークから５Ｇネットワークに移動した後、該方法７００は以下を含む。
【０１２７】
Ｓ７１０において、第一のネットワーク装置は、該端末装置へ第一の指示情報を送信し、該第一の指示情報が、該ＰＤＮ接続に対応するＰＤＵセッションがＭＡをサポートするか否かを示すことに用いられ、ＭＡをサポートする場合、該ＰＤＵセッションが３ＧＰＰネットワークと非３ＧＰＰネットワークを同時に用いてデータを伝送することができる。
【０１２８】
選択可能に、本出願の実施例では、該第一のネットワーク装置はＡＭＦである。
【０１２９】
具体的には、該第一のネットワーク装置が該端末装置へ該第一の指示情報を送信する前に、該方法７００はさらに、
該第一のネットワーク装置が該端末装置から送信された第一の情報を受信し、該第一の情報が該ＰＤＵセッションの変更をリクエストすることに用いられることを含む。
【０１３０】
該第一のネットワーク装置が該端末装置へ第一の指示情報を送信することは、
該第一のネットワーク装置が該端末装置へ第二の情報を送信し、該第二の情報が、該端末装置によって開始された該ＰＤＵセッションを変更するリクエストを受信することを示すことに用いられることを含む。
【０１３１】
説明すべきものとして、該第一の情報は、セッション識別子（Ｓｅｓｓｉｏｎ  ＩＤ）を含むことができる。
【０１３２】
選択可能に、該第一の情報は第二の指示情報を含み、該第二の指示情報は、該端末装置がＭＡ  ＰＤＵセッションをサポートする能力を有することを示すことに用いられる。
【０１３３】
選択可能に、該第一のネットワーク装置が該端末装置へ該第二の指示情報を送信する前に、該方法７００はさらに、
該第一のネットワーク装置が第二のネットワーク装置へ該端末装置に対するコンテキスト更新リクエストを送信することと、
該第一のネットワーク装置が該第二のネットワーク装置から送信された該端末装置に対するコンテキスト更新応答を受信し、該コンテキスト更新応答が該第一の指示情報を含むこととを含む。
【０１３４】
説明すべきものとして、該第二のネットワーク装置はＳＭＦ＋ＰＧＷ−Ｃである。
【０１３５】
選択可能に、該コンテキスト更新リクエストには、少なくともＵＥ  ＩＤ、セッションＩＤ（Ｓｅｓｓｉｏｎ  ＩＤ）が含まれる。
【０１３６】
選択可能に、該第一のネットワーク装置が該端末装置へ該第二の指示情報を送信する前に、該方法７００はさらに、
該第一のネットワーク装置が第二のネットワーク装置へ該端末装置に対するコンテキスト更新リクエストを送信し、該コンテキスト更新リクエストが該第二の指示情報を含むことと、
該第一のネットワーク装置は、該第二のネットワーク装置から送信された該端末装置に対するコンテキスト更新応答を受信し、該コンテキスト更新応答が該第一の指示情報を含むこととを含む。
【０１３７】
選択可能に、本出願の実施例では、該第一のネットワーク装置はＰＣＦである。
【０１３８】
具体的には、該第一のネットワーク装置が該端末装置へ第一の指示情報を送信することは、
該第一のネットワーク装置が該端末装置へ第三の情報を送信し、該第三の情報がＡＴＳＳＳポリシーを示すことに用いられ、該第三の情報が該第一の指示情報を含むことを含む。
【０１３９】
理解すべきものとして、セッション管理方法７００のステップについてセッション管理方法６００の対応するステップを参照することができ、簡潔するために、ここで説明を省略しない。
【０１４０】
したがって、本出願の実施例では、端末装置が４Ｇネットワークから５Ｇネットワークに移動した後、４Ｇネットワークの場合に確立されたＰＤＮ接続に対応するＰＤＵセッションがＭＡをサポートするか否かが端末装置に通知され、これにより、ＰＤＵセッションがＭＡをサポートする場合、データを伝送するための非３ＧＰＰネットワークを確立することができ、これにより、端末装置はより高い伝送レートを取得することができ、より多くの料金を節約することもできるが、ネットワーク装置は、非３ＧＰＰの無線リソースをより効率的に利用し、伝送レートを向上させることができる。
【０１４１】
図８は本出願の実施例によるセッション管理方法８００の概略フローチャートである。該方法８００では、端末装置が４ＧネットワークにおいてＰＤＮ接続を確立し、前記端末装置が４Ｇネットワークから５Ｇネットワークに移動した後、該方法８００は以下を含む。
【０１４２】
Ｓ８１０において、第二のネットワーク装置は、第一のネットワーク装置から送信された該端末装置に対するコンテキスト更新リクエストを受信する。
【０１４３】
理解すべきものとっして、該第一のネットワークはＡＭＦであり、該第二のネットワーク装置はＳＭＦ＋ＰＧＷ−Ｃである。
【０１４４】
Ｓ８２０において、該第二のネットワーク装置は、該第一のネットワーク装置へ該端末装置に対するコンテキスト更新応答を送信し、該コンテキスト更新応答が第一の指示情報を含み、該第一の指示情報が、該ＰＤＮ接続に対応するＰＤＵセッションがＭＡをサポートするか否かを示すことに用いられ、ＭＡをサポートする場合、該ＰＤＵセッションが３ＧＰＰネットワークと非３ＧＰＰネットワークを同時に用いてデータを伝送することができる。
【０１４５】
選択可能に、該コンテキスト更新リクエストは第二の指示情報を含み、該第二の指示情報は、該端末装置がＭＡ  ＰＤＵセッションをサポートする能力を有することを示すことに用いられ、
該第二のネットワーク装置が該第一のネットワーク装置へ該端末装置に対するコンテキスト更新応答を送信することは、
該第二の指示情報を受信した後、該第二のネットワーク装置が、該ＰＤＵセッションがＭＡをサポートするか否かを確定し、該第一のネットワーク装置へ該コンテキスト更新応答を送信することを含む。
【０１４６】
理解すべきものとして、セッション管理方法８００のステップについてセッション管理方法６００とセッション管理方法７００の対応するステップを参照することができ、簡潔するために、ここで説明を省略しない。
【０１４７】
したがって、本出願の実施例では、第二のネットワーク装置は、端末装置が４Ｇネットワークの場合に確立したＰＤＮ接続に対応するＰＤＵセッションがＭＡをサポートするか否かを確定し、第一のネットワーク装置を介して端末装置に通知することができ、これにより、端末装置が、ＰＤＵセッションがＭＡをサポートすることを確定した場合、データを伝送するための非３ＧＰＰネットワークを確立することができ、これにより、端末装置は、より高い伝送レートを取得することができ、より多くの料金を節約することもできるが、ネットワーク装置は、非３ＧＰＰの無線リソースをより効率的に利用し、伝送レートを向上させることができる。
【０１４８】
選択可能に、一つの実施例としてもよく、図９に示すように、該方法９００は以下を含む。
【０１４９】
Ｓ９１０において、ＵＥは４ＧネットワークにおいてＰＤＮ接続を確立する。
【０１５０】
Ｓ９２０において、ＵＥが４Ｇネットワークから５Ｇネットワークに移動した場合、ＵＥは、ＡＭＦへアップリンク（ＵＬ：Ｕｐｌｉｎｋ）Ｎ１情報（Ｍｅｓｓａｇｅ）を送信する。
【０１５１】
理解すべきものとして、Ｎ１はＵＥとＡＭＦの間のインタフェースである。
【０１５２】
説明すべきものとして、ＵＥがＭＡ  ＰＤＵセッションをサポートする能力を有する場合、５Ｇネットワークに移転された各ＰＤＵセッション（Ｓｅｓｓｉｏｎ）に対してＰＤＵセッション変更（Ｓｅｓｓｉｏｎ  Ｍｏｄｉｆｉｃａｔｉｏｎ）を開始する必要がある。
【０１５３】
理解すべきものとして、ＵＥが４Ｇネットワークから５Ｇネットワークに移動した後、４ＧネットワークにおいてＵＥによって確立された各ＰＤＮ接続は、全て一つのＰＤＵセッション（Ｓｅｓｓｉｏｎ）に移転される。
【０１５４】
具体的には、該ＵＬ  Ｎ１メッセージ（Ｍｅｓｓａｇｅ）にセッションＩＤ（Ｓｅｓｓｉｏｎ  ＩＤ）、ＰＤＵセッション変更リクエスト（ＰＤＵ  Ｓｅｓｓｉｏｎ  Ｍｏｄｉｆｉｃａｔｉｏｎ  Ｒｅｑｕｅｓｔ）が含まれる。該ＰＤＵセッション変更リクエスト（ＰＤＵ  Ｓｅｓｓｉｏｎ  Ｍｏｄｉｆｉｃａｔｉｏｎ  Ｒｅｑｕｅｓｔ）にも指示情報１が含まれ、該指示情報１は、ＵＥがＭＡ  ＰＤＵセッションをサポートする能力を有することを示すことに用いられる。
【０１５５】
Ｓ９３０において、ＡＭＦはＳＭＦ＋ＰＧＷ−ＣへＵＥに対するコンテキスト更新リクエストを送信する。
【０１５６】
具体的には、該コンテキスト更新リクエストに少なくともＵＥ  ＩＤ、セッションＩＤ（Ｓｅｓｓｉｏｎ  ＩＤ）、及び上記指示情報１を含むＰＤＵセッション変更リクエストが含まれる。
【０１５７】
選択可能に、該ＡＭＦは、ＵＥコンテキスト更新リクエスト（Ｎｓｍｆ＿ＵｐｄａｔｅＵＥＣｏｎｔｅｘｔ  Ｒｅｑｕｅｓｔ）サービスを呼び出することにより、ステップＳ９３０を実現することもできる。
【０１５８】
説明すべきものとして、ＮｓｍｆはＡＭＦとＳＭＦ＋ＰＧＷ−Ｃの間のインタフェースである。
【０１５９】
Ｓ９４０において、ＳＭＦ＋ＰＧＷ−ＣはＡＭＦへＵＥに対するコンテキスト更新応答を送信する。
【０１６０】
具体的には、該コンテキスト更新応答は少なくともＵＥ  ＩＤ、セッションＩＤ（Ｓｅｓｓｉｏｎ  ＩＤ）ＰＤＵセッション変更受け入れ（ＰＤＵ  Ｓｅｓｓｉｏｎ  Ｍｏｄｉｆｉｃａｔｉｏｎ  Ａｃｃｅｐｔ）を含み、該ＰＤＵセッション変更受け入れに指示情報２が含まれ、該指示情報２が、該ＰＤＵセッションがマルチアクセス（Ｍｕｌｔｉ−Ａｃｃｅｓｓ）をサポートするか否かを示すことに用いられる。
【０１６１】
選択可能に、該指示情報２は、該ＰＤＵセッションがマルチアクセス（Ｍｕｌｔｉ−Ａｃｃｅｓｓ）をサポートするか否かを１ビットで示すことができる。例えば、このビットの値が０である時に、該指示情報２は、該ＰＤＵセッションがマルチアクセス（Ｍｕｌｔｉ−Ａｃｃｅｓｓ）をサポートしないことを示すことができ、このビットの値が１である時に、該指示情報２は該ＰＤＵセッションがマルチアクセス（Ｍｕｌｔｉ−Ａｃｃｅｓｓ）をサポートすることを示すことができる。
【０１６２】
選択可能に、ＳＭＦ＋ＰＧＷ−Ｃは指示情報１に基づき、ＵＥがＭＡ  ＰＤＵセッションをサポートする能力を有することを知り、ローカル設定に基づき、該ＰＤＵセッションがマルチアクセス（Ｍｕｌｔｉ−Ａｃｃｅｓｓ）をサポートするか否かを確定し、そして結果をＰＤＵセッション変更受け入れ（ＰＤＵ  Ｓｅｓｓｉｏｎ  Ｍｏｄｉｆｉｃａｔｉｏｎ  Ａｃｃｅｐｔ）に入れる。
【０１６３】
選択可能に、ＳＭＦ＋ＰＧＷ−Ｃは、ＵＥコンテキスト更新応答（Ｎｓｍｆ＿ＵｐｄａｔｅＵＥＣｏｎｔｅｘｔ  Ｒｅｓｐｏｎｓｅ）サービスを呼び出することにより、ステップＳ９４０を実現することもできる。
【０１６４】
Ｓ９５０において、ＡＭＦはＵＥへダウンリンク（ＤＬ：Ｄｏｗｎｌｉｎｋ）Ｎ１メッセージ（Ｍｅｓｓａｇｅ）を送信する。
【０１６５】
具体的には、該ＤＬ  Ｎ１メッセージ（Ｍｅｓｓａｇｅ）に少なくともセッションＩＤ（Ｓｅｓｓｉｏｎ  ＩＤ）、ＰＤＵセッション変更受け入れ（ＰＤＵ  Ｓｅｓｓｉｏｎ  Ｍｏｄｉｆｉｃａｔｉｏｎ  Ａｃｃｅｐｔ）が含まれる。ＰＤＵセッション変更受け入れ（ＰＤＵ  Ｓｅｓｓｉｏｎ  Ｍｏｄｉｆｉｃａｔｉｏｎ  Ａｃｃｅｐｔ）には該指示情報２が含まれる。
【０１６６】
Ｓ９６０において、ＵＥは、該第二の指示情報に基づいて、該ＰＤＵセッションがマルチアクセス（Ｍｕｌｔｉ−Ａｃｃｅｓｓ）をサポートするか否かを確定する。
【０１６７】
具体的には、該ＰＤＵセッションがマルチアクセス（Ｍｕｌｔｉ−Ａｃｃｅｓｓ）をサポートする場合、ＵＥは、非３ＧＰＰネットワークによるＭＡ  ＰＤＵセッション確立を開始することを確定する。
【０１６８】
図１０は本出願の実施例による端末装置１０００の概略ブロック図である。図１０に示すように、該端末装置１０００は、第一のネットワーク装置へ第一の情報を送信するように構成され、前記第一の情報がＰＤＮ接続の確立をリクエストすることに用いられる通信ユニット１０１０を備える。
【０１６９】
前記通信ユニット１０１０は、さらに前記第一のネットワーク装置から送信された第二の情報を受信するように構成され、前記第二の情報が前記端末装置によって開始された前記ＰＤＮ接続確立リクエストを受信することを示すことに用いられ、前記第二の情報が第一の指示情報を含み、前記第一の指示情報が、前記端末装置が４Ｇネットワークから５Ｇネットワークに移動した後に前記ＰＤＮ接続に対応するＰＤＵセッションがＭＡをサポートするか否かを示すことに用いられ、ＭＡをサポートする場合、前記ＰＤＵセッションが３ＧＰＰネットワークと非３ＧＰＰネットワークを同時に用いてデータを伝送することができる。
【０１７０】
選択可能に、前記第一の情報は第二の指示情報を含み、前記第二の指示情報は、前記端末装置がＭＡ  ＰＤＵセッションをサポートする能力を有することを示すことに用いられる。
【０１７１】
選択可能に、前記端末装置１０００はさらに、
前記端末装置が４Ｇネットワークから５Ｇネットワークに移動した後、前記ＰＤＵセッションがＭＡをサポートするか否かに応じて、前記非３ＧＰＰネットワークによるＭＡ  ＰＤＵセッション確立を開始するか否かを確定するように構成される処理ユニット１０２０を備える。
【０１７２】
選択可能に、前記処理ユニット１０２０は具体的に、
前記ＰＤＵセッションがＭＡをサポートする時に、前記非３ＧＰＰネットワークによるＭＡ  ＰＤＵセッション確立を開始することを確定するように構成され、又は
前記ＰＤＵセッションがＭＡをサポートしない時に、前記非３ＧＰＰネットワークによるＭＡ  ＰＤＵセッション確立を開始しないことを確定するように構成される。
【０１７３】
理解すべきものとして、本出願の実施例による端末装置１０００における各モジュールの上記と他の操作及び／又は機能はそれぞれ図２の方法２００における端末装置の対応するプロセスを実現するためのものであり、簡潔するために、ここでは説明を省略する。
【０１７４】
図１１は本出願の実施例によるネットワーク装置１１００の概略ブロック図である。図１１に示すように、該ネットワーク装置１１００は、
端末装置から送信された第一の情報を受信するように構成され、前記第一の情報がパケットデータネットワーク（ＰＤＮ）接続の確立をリクエストすることに用いられる通信ユニット１１１０を備える。
【０１７５】
前記第一の情報に応答して、前記通信ユニット１１１０は、さらに前記端末装置へ第二の情報を送信するように構成され、前記第二の情報が前記端末装置によって開始された前記ＰＤＮ接続確立を受け入れることを示すことに用いられ、前記第二の情報が第一の指示情報を含み、前記第一の指示情報が、前記端末装置が４Ｇネットワークから５Ｇネットワークに移動した後に前記ＰＤＮ接続に対応するＰＤＵセッションがＭＡをサポートするか否かを示すことに用いられ、ＭＡをサポートする場合、前記ＰＤＵセッションが３ＧＰＰネットワークと非３ＧＰＰネットワークを同時に用いてデータを伝送することができる。
【０１７６】
選択可能に、前記第一の情報は第二の指示情報を含み、前記第二の指示情報は、前記端末装置がＭＡ  ＰＤＵセッションをサポートする能力を有することを示すことに用いられる。
【０１７７】
選択可能に、前記通信ユニット１１１０が前記端末装置へ前記第二の情報を送信する前に、前記通信ユニット１１１０はさらに、
第二のネットワーク装置へセッション確立リクエストを送信し、
前記第二のネットワーク装置から送信されたセッション確立応答を受信するように構成され、前記セッション確立応答が前記第一の指示情報を含む。
【０１７８】
選択可能に、前記通信ユニット１１１０が前記端末装置へ前記第二の情報を送信する前に、前記通信ユニット１１１０はさらに、
第二のネットワーク装置へセッション確立リクエストを送信し、前記セッション確立リクエストが前記第二の指示情報を含み、
前記第二のネットワーク装置から送信されたセッション確立応答を受信するように構成され、前記セッション確立応答が前記第一の指示情報を含む。
【０１７９】
理解すべきものとして、本出願の実施例によるネットワーク装置１１００における各モジュールの上記と他の操作及び／又は機能はそれぞれ図３の方法３００におけるネットワーク装置の対応するプロセスを実現するためのものであり、簡潔するために、ここでは説明を省略する。
【０１８０】
図１２は本出願の実施例によるネットワーク装置１２００の概略ブロック図である。図１２に示すように、該ネットワーク装置１２００は、
第一のネットワーク装置から送信されたセッション確立リクエストを受信するように構成される通信ユニット１２１０を備える。
【０１８１】
前記通信ユニット１２１０は、さらに前記第一のネットワーク装置へセッション確立応答を送信するように構成され、前記セッション確立応答が第一の指示情報を含み、前記第一の指示情報が、端末装置が４Ｇネットワークから５Ｇネットワークに移動した後に前記端末装置が４Ｇネットワークの場合に確立したＰＤＮ接続に対応するＰＤＵセッションがＭＡをサポートするか否かを示すことに用いられ、ＭＡをサポートする場合、前記ＰＤＵセッションが３ＧＰＰネットワークと非３ＧＰＰネットワークを同時に用いてデータを伝送することができる。
【０１８２】
選択可能に、前記セッション確立リクエストは第二の指示情報を含み、前記第二の指示情報は、前記端末装置がＭＡ  ＰＤＵセッションをサポートする能力を有することを示すことに用いられ、
前記ネットワーク装置１２００はさらに、
前記通信ユニット１２１０が前記第二の指示情報を受信した後、前記ＰＤＵセッションがＭＡをサポートするか否かを確定し、前記第一のネットワーク装置へ前記セッション確立応答を送信するように前記通信ユニット１２１０を制御するように構成される処理ユニット１２２０を備える。
【０１８３】
理解すべきものとして、本出願の実施例によるネットワーク装置１２００における各モジュールの上記と他の操作及び／又は機能はそれぞれ図４の方法４００におけるネットワーク装置の対応するプロセスを実現するためのものであり、簡潔するために、ここでは説明を省略する。
【０１８４】
図１３は本出願の実施例による端末装置１３００の概略ブロック図である。図１３に示すように、前記端末装置１３００が４ＧネットワークにおいてＰＤＮ接続を確立し、前記端末装置１３００が４Ｇネットワーク装置から５Ｇネットワークに移動した後、該端末装置１３００は、
第一のネットワーク装置から送信された第一の指示情報を受信するように構成され、前記第一の指示情報が、前記ＰＤＮ接続に対応するＰＤＵセッションがＭＡをサポートするか否かを示すことに用いられ、ＭＡをサポートする場合、前記ＰＤＵセッションが３ＧＰＰネットワークと非３ＧＰＰネットワークを同時に用いてデータを伝送することができる通信ユニット１３１０を備える。
【０１８５】
選択可能に、前記通信ユニット１３１０が前記第一のネットワーク装置から送信された前記第一の指示情報を受信する前に、前記通信ユニット１３１０は、さらに前記第一のネットワーク装置へ第一の情報を送信するように構成され、前記第一の情報が前記ＰＤＵセッションの変更をリクエストすることに用いられる。
【０１８６】
前記通信ユニット１３１０は具体的に、
前記第一のネットワーク装置から送信された前記第二の情報を受信するように構成され、前記第二の情報が、前記端末装置によって開始された前記ＰＤＵセッションを変更するリクエストを受信することを示すことに用いられ、前記第二の情報が前記第一の指示情報を含む。
【０１８７】
選択可能に、前記第一の情報は第二の指示情報を含み、前記第二の指示情報は、前記端末装置がＭＡ  ＰＤＵセッションをサポートする能力を有することを示すことに用いられる。
【０１８８】
選択可能に、前記通信ユニット１３１０は具体的に、
前記第一のネットワーク装置から送信された第三の情報を受信するように構成され、前記第三の情報がＡＴＳＳＳポリシーを示すことに用いられ、前記第三の情報が前記第一の指示情報を含む。
【０１８９】
選択可能に、前記端末装置１３００はさらに、
前記ＰＤＵセッションがＭＡをサポートするか否かに応じて、前記非３ＧＰＰネットワークによるＭＡ  ＰＤＵセッション確立を開始するか否かを確定するように構成される処理ユニット１３２０を備える。
【０１９０】
選択可能に、前記処理ユニット１３２０は具体的に、
前記ＰＤＵセッションがＭＡをサポートする時に、前記非３ＧＰＰネットワークによるＭＡ  ＰＤＵセッション確立を開始することを確定するように構成され、又は
前記ＰＤＵセッションがＭＡをサポートしない時に、前記非３ＧＰＰネットワークによるＭＡ  ＰＤＵセッション確立を開始しないことを確定するように構成される。
【０１９１】
理解すべきものとして、本出願の実施例による端末装置１３００における各モジュールの上記と他の操作及び／又は機能はそれぞれ図６の方法６００における端末装置の対応するプロセスを実現するためのものであり、簡潔するために、ここでは説明を省略する。
【０１９２】
図１４は本出願の実施例によるネットワーク装置１４００の概略ブロック図である。図１４に示すように、該ネットワーク装置１４００が端末装置にサービスを提供し、該端末装置が４ＧネットワークにおいてＰＤＮ接続を確立し、前記端末装置が４Ｇネットワーク装置から５Ｇネットワークに移動した後、該ネットワーク装置１４００は、
前記端末装置へ第一の指示情報を送信するように構成され、前記第一の指示情報が、前記ＰＤＮ接続に対応するＰＤＵセッションがＭＡをサポートするか否かを示すことに用いられ、ＭＡをサポートする場合、前記ＰＤＵセッションが３ＧＰＰネットワークと非３ＧＰＰネットワークを同時に用いてデータを伝送することができる通信ユニット１４１０を備える。
【０１９３】
選択可能に、前記通信ユニット１４１０が前記端末装置へ前記第一の指示情報を送信する前に、前記通信ユニット１４１０は、さらに前記端末装置から送信された第一の情報を受信するように構成され、前記第一の情報が前記ＰＤＵセッションの変更をリクエストすることに用いられ、
前記通信ユニット１４１０は具体的に、
前記端末装置へ第二の情報を送信するように構成され、前記第二の情報が前記端末装置によって開始された前記ＰＤＵセッションを変更するリクエストを受信することを示すことに用いられ、前記第二の情報が前記第一の指示情報を含む。
【０１９４】
選択可能に、前記第一の情報は第二の指示情報を含み、前記第二の指示情報は、前記端末装置がＭＡ  ＰＤＵセッションをサポートする能力を有することを示すことに用いられる。
【０１９５】
選択可能に、前記通信ユニット１４１０が前記端末装置へ前記第二の情報を送信する前に、前記通信ユニット１４１０はさらに、
第二のネットワーク装置へ前記端末装置に対するコンテキスト更新リクエストを送信し、
前記第二のネットワーク装置から送信された前記端末装置に対するコンテキスト更新応答を受信するように構成され、前記コンテキスト更新応答が前記第一の指示情報を含む。
【０１９６】
選択可能に、前記通信ユニット１４１０が前記端末装置へ前記第二の情報を送信する前に、前記通信ユニット１４１０はさらに、
第二のネットワーク装置へ前記端末装置に対するコンテキスト更新リクエストを送信し、前記コンテキスト更新リクエストが前記第二の指示情報を含み、
前記第二のネットワーク装置から送信された前記端末装置に対するコンテキスト更新応答を受信するように構成され、前記コンテキスト更新応答が前記第一の指示情報を含む。
【０１９７】
選択可能に、前記通信ユニット１４１０は具体的に、
前記端末装置へ第三の情報を送信するように構成され、前記第三の情報がＡＴＳＳＳポリシーを示すことに用いられ、前記第三の情報が前記第一の指示情報を含む。
【０１９８】
理解すべきものとして、本出願の実施例によるネットワーク装置１４００における各モジュールの上記と他の操作及び／又は機能はそれぞれ図７の方法７００におけるネットワーク装置の対応するプロセスを実現するためのものであり、簡潔するために、ここでは説明を省略する。
【０１９９】
図１５は本出願の実施例によるネットワーク装置１５００の概略ブロック図である。図１５に示すように、該ネットワーク装置１５００が端末装置にサービスを提供し、該端末装置が４ＧネットワークにおいてＰＤＮ接続を確立し、前記端末装置が４Ｇネットワーク装置から５Ｇネットワークに移動した後、該ネットワーク装置１５００は、
第一のネットワーク装置から送信された前記端末装置に対するコンテキスト更新リクエストを受信するように構成される通信ユニット１５１０を備える。
【０２００】
前記通信ユニット１５１０は、さらに前記第一のネットワーク装置へ前記端末装置に対するコンテキスト更新応答を送信するように構成され、前記コンテキスト更新応答が第一の指示情報を含み、前記第一の指示情報が、前記ＰＤＮ接続に対応するＰＤＵセッションがＭＡをサポートするか否かを示すことに用いられ、ＭＡをサポートする場合、前記ＰＤＵセッションが３ＧＰＰネットワークと非３ＧＰＰネットワークを同時に用いてデータを伝送することができる。
【０２０１】
選択可能に、前記コンテキスト更新リクエストは第二の指示情報を含み、前記第二の指示情報は、前記端末装置がＭＡ  ＰＤＵセッションをサポートする能力を有することを示すことに用いられ、
前記ネットワーク装置１５００はさらに、
前記通信ユニット１５１０が前記第二の指示情報を受信した後、前記ＰＤＵセッションがＭＡをサポートするか否かを確定し、前記第一のネットワーク装置へ前記コンテキスト更新応答を送信するように前記通信ユニット１５１０を制御するように構成される処理ユニット１５２０を備える。
【０２０２】
理解すべきものとして、本出願の実施例によるネットワーク装置１５００における各モジュールの上記と他の操作及び／又は機能はそれぞれ図８の方法８００におけるネットワーク装置の対応するプロセスを実現するためのものであり、簡潔するために、ここでは説明を省略する。
【０２０３】
図１６は本出願の実施例による通信装置１６００の概略構造図である。図１６に示す通信装置１６００は、プロセッサ１６１０を備え、プロセッサ１６１０がメモリからコンピュータプログラムを呼び出して実行し、本出願の実施例における方法を実現することができる。
【０２０４】
選択可能に、図１６に示すように、通信装置１６００はさらにメモリ１６２０を備えることができる。プロセッサ１６１０は、メモリ１６２０からコンピュータプログラムを呼び出して実行し、本出願の実施例における方法を実現することができる。
【０２０５】
メモリ１６２０は、プロセッサ１６１０から独立した別個のデバイスであってもよいし、プロセッサ１６１０に統合されてもよい。
【０２０６】
選択可能に、図１６に示すように、通信装置１６００はさらに送受信機１６３０を備えることができ、プロセッサ１６１０が他の装置と通信するように該送受信機１６３０を制御することができ、具体的に、他の装置へ情報又はデータを送信し、又は他の装置から送信された情報又はデータを受信することができる。
【０２０７】
送受信機１６３０は、送信機と受信機を含むことができる。送受信機１６３０はさらにアンテナを含むことができ、アンテナの数が一つ又は複数であってもよい。
【０２０８】
選択可能に、該通信装置１６００は具体的に本出願の実施例のネットワーク装置であってもよく、そして該通信装置１６００は本出願の実施例の各方法におけるネットワーク装置によって実現される対応プロセスを実現することができ、簡潔にするために、ここでは説明を省略する。
【０２０９】
選択可能に、該通信装置１６００は具体的に本出願の実施例の移動端末装置／端末装置であってもよく、そして該通信装置１６００は本出願の実施例の各方法における移動端末装置／端末装置によって実現される対応プロセスを実現することができ、簡潔にするために、ここでは説明を省略する。
【０２１０】
図１７は本出願の実施例によるチップの概略構造図である。図１７に示すチップ１７００は、プロセッサ１７１０を備え、プロセッサ１７１０がメモリからコンピュータプログラムを呼び出して実行し、本出願の実施例における方法を実現することができる。
【０２１１】
選択可能に、図１７に示すように、チップ１７００はさらにメモリ１７２０を備えることができる。プロセッサ１７１０は、メモリ１７２０からコンピュータプログラムを呼び出して実行し、本出願の実施例における方法を実現することができる。
【０２１２】
メモリ１７２０は、プロセッサ１７１０から独立した別個のデバイスであってもよいし、プロセッサ１７１０に統合されてもよい。
【０２１３】
選択可能に、該チップ１７００はさらに入力インタフェース１７３０を備えることができる。プロセッサ１７１０は他の装置又はチップと通信するように該入力インタフェース１７３０を制御することができ、具体的に、他の装置又はチップから送信された情報又はデータを取得することができる。
【０２１４】
選択可能に、該チップ１７００はさらに出力インタフェース１７４０を備えることができる。プロセッサ１７１０は、他の装置又はチップと通信するように該入力インタフェース１７４０を制御することができ、具体的に、他の装置又はチップへ情報又はデータを出力することができる。
【０２１５】
選択可能に、該チップは本出願の実施例におけるネットワーク装置に応用されてもよく、そして該チップは本出願の実施例の各方法におけるネットワーク装置によって実現される対応プロセスを実現することができ、簡潔にするために、ここでは説明を省略する。
【０２１６】
選択可能に、該チップは本出願の実施例における移動端末／端末装置に応用されてもよく、そして該チップは本出願の実施例の各方法における移動端末／端末装置によって実現される対応プロセスを実現することができ、簡潔にするために、ここでは説明を省略する。
【０２１７】
理解すべきものとして、本出願の実施例に言及されるチップは、さらにシステムレベルチップ、システムチップ、チップシステム又はシステムオンチップとも呼ばれてもよい。
【０２１８】
図１８は本出願の実施例による通信システム１８００の概略ブロック図である。図１８に示すように、該通信システム１８００は端末装置１８１０とネットワーク装置１８２０を備える。
【０２１９】
該端末装置１８１０は上記方法における端末装置によって実現される、対応する機能を実現することに用いられてもよく、該ネットワーク装置１８２０は、上記方法におけるネットワーク装置によって実現される、対応する機能を実現することに用いられてもよく、ここでは説明を省略する。
【０２２０】
理解すべきものとして、本出願の実施例におけるプロセッサは信号処理能力を有する集積回路チップである可能性がある。実施プロセスでは、上記方法の実施例における各ステップは、プロセッサ内のハードウェアの集積論理回路又はソフトウェアの形の命令によって完されてもよい。上記プロセッサは汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブル論理デバイス、ディスクリートゲート又はトランジスタ論理デバイス、ディスクリートハードウェア部材であってもよい。本出願の実施例において開示される各方法、ステップ及び論理ブロック図を実現又は実行することができる。汎用プロセッサはマイクロプロセッサであってもよく、又は該プロセッサはいずれかの従来のプロセッサなどであってもよい。本出願の実施例と組み合わせて開示された方法のステップはハードウェア復号プロセッサによって実行されて完了され、又は復号プロセッサにおけるハードウェア及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリに位置し、プロセッサはメモリにおける情報を読み取り、そのハードウェアと組み合わせて上記方法のステップを完了する。
【０２２１】
本出願の実施例におけるメモリは揮発性記憶装置又は不揮発性記憶装置であってもよく、又は揮発性記憶装置及び不揮発性記憶装置両者を含むことができることが理解できる。不揮発性記憶装置は読み取り専用メモリ（ＲＯＭ：Ｒｅａｄ−Ｏｎｌｙ  Ｍｅｍｏｒｙ）、プログラマブル読み取り専用メモリ（ＰＲＯＭ：Ｐｒｏｇｒａｍｍａｂｌｅ  ＲＯＭ）、消去可能プログラマブル読み取り専用メモリ（ＥＰＲＯＭ：Ｅｒａｓａｂｌｅ  ＰＲＯＭ）、電気的消去可能プログラマブル読み取り専用メモリ（ＥＥＰＲＯＭ：Ｅｌｅｃｔｒｉｃａｌｌｙ  ＥＰＲＯＭ）又はフラッシュメモリであってもよい。揮発性記憶装置は外部キャッシュメモリとして機能するランダムアクセスメモリ（ＲＡＭ：Ｒａｎｄｏｍ  Ａｃｃｅｓｓ  Ｍｅｍｏｒｙ）であってもよい。制限的でなく例示的な説明により、多くの形態のＲＡＭは利用可能であり、例えばスタティックランダムアクセスメモリ（ＳＲＡＭ：Ｓｔａｔｉｃ  ＲＡＭ）、動的ランダムアクセスメモリ（ＤＲＡＭ：Ｄｙｎａｍｉｃ  ＲＡＭ）、同期動的ランダムアクセスメモリ（ＳＤＲＡＭ：Ｓｙｎｃｈｒｏｎｏｕｓ  ＤＲＡＭ）、ダブルデータレート同期動的ランダムアクセスメモリ（ＤＤＲ  ＳＤＲＡＭ：Ｄｏｕｂｌｅ  Ｄａｔａ  Ｒａｔｅ  ＳＤＲＡＭ）、強化型同期動的ランダムアクセスメモリ（ＥＳＤＲＡＭ：Ｅｎｈａｎｃｅｄ  ＳＤＲＡＭ）、同期リンク動的ランダムアクセスメモリ（ＳＬＤＲＡＭ：Ｓｙｎｃｈｌｉｎｋ  ＤＲＡＭ）とダイレクトラムバスランダムアクセスメモリ（ＤＲ  ＲＡＭ：Ｄｉｒｅｃｔ  Ｒａｍｂｕｓ  ＲＡＭ）である。注意すべきものとして、本明細書に記載のシステムと方法のメモリはこれらといずれかの他の適切なタイプのメモリを含むことを図るがこれらに限定されない。
【０２２２】
理解すべきものとして、上記メモリは、例示的であるが限定的に説明されたものではなく、例えば、本出願の実施例におけるメモリはさらにスタティックランダムアクセスメモリ（ＳＲＡＭ：ｓｔａｔｉｃ  ＲＡＭ）、動的ランダムアクセスメモリ（ＤＲＡＭ：ｄｙｎａｍｉｃ  ＲＡＭ）、同期動的ランダムアクセスメモリ（ＳＤＲＡＭ：ｓｙｎｃｈｒｏｎｏｕｓ  ＤＲＡＭ）、ダブルデータレート同期動的ランダムアクセスメモリ（ＤＤＲ  ＳＤＲＡＭ：ｄｏｕｂｌｅ  ｄａｔａ  ｒａｔｅ  ＳＤＲＡＭ）、強化型同期動的ランダムアクセスメモリ（ＥＳＤＲＡＭ：ｅｎｈａｎｃｅｄ  ＳＤＲＡＭ）、同期リンク動的ランダムアクセスメモリ（ＳＬＤＲＡＭ：ｓｙｎｃｈ  ｌｉｎｋ  ＤＲＡＭ）及びダイレクトラムバスランダムアクセスメモリ（ＤＲ  ＲＡＭ：Ｄｉｒｅｃｔ  Ｒａｍｂｕｓ  ＲＡＭ）であってもよい。つまり、本出願の実施例におけるメモリはこれらと任意の他の適切なタイプのメモリを含むことを図るがこれらに限定されない。
【０２２３】
本出願の実施例はさらにコンピュータプログラムを記憶するためのコンピュータ可読記憶媒体を提供する。
【０２２４】
選択可能に、該コンピュータ可読記憶媒体は、本出願の実施例におけるネットワーク装置に応用されてもよく、そして該コンピュータプログラムにより、コンピュータが本出願の実施例における各方法のネットワーク装置によって実現される、対応するプロセスを実行し、簡潔にするために、ここでは説明を省略する。
【０２２５】
選択可能に、該コンピュータ可読記憶媒体は、本出願の実施例における移動端末／端末装置に応用されてもよく、そして該コンピュータプログラムにより、コンピュータが本出願の実施例における各方法の移動端末／端末装置によって実現される、対応するプロセスを実行し、簡潔にするために、ここでは説明を省略する。
【０２２６】
本出願の実施例はさらにコンピュータプログラム命令を含むコンピュータプログラム製品を提供する。
【０２２７】
選択可能に、該コンピュータプログラム製品は、本出願の実施例におけるネットワーク装置に応用されてもよく、そして該コンピュータプログラム命令により、コンピュータが本出願の実施例における各方法のネットワーク装置によって実現される、対応するプロセスを実行し、簡潔にするために、ここでは説明を省略する。
【０２２８】
選択可能に、該コンピュータプログラム製品は、本出願の実施例における移動端末／端末装置に応用されてもよく、そして該コンピュータプログラム命令により、コンピュータが本出願の実施例における各方法の移動端末／端末装置によって実現される、対応するプロセスを実行し、簡潔にするために、ここでは説明を省略する。
【０２２９】
本出願の実施例はさらにコンピュータプログラムを提供する。
【０２３０】
選択可能に、該コンピュータプログラムは、本出願の実施例におけるネットワーク装置に応用されてもよく、そして該コンピュータプログラムがコンピュータで実行される場合、コンピュータが本出願の実施例における各方法のネットワーク装置によって実現される、対応するプロセスを実行し、簡潔にするために、ここでは説明を省略する。
【０２３１】
選択可能に、該コンピュータプログラムは、本出願の実施例における移動端末／端末装置に応用されてもよく、そして該コンピュータプログラムがコンピュータで実行される場合、コンピュータが本出願の実施例における各方法の移動端末／端末装置によって実現される、対応するプロセスを実行し、簡潔にするために、ここでは説明を省略する。
【０２３２】
当業者であれば、本明細書で開示される実施例と組み合わせて説明される各例のユニット及びアルゴリズムステップは、電子ハードウェア、又はコンピュータソフトウェアと電子ハードウェアの組み合わせで実現されてもよいと理解できる。これらの機能がハードウエア又はソフトウエアで実行されるかは、技術的解決策の特定アプリケーションと設計制約条件に依存する。当業者は各特定のアプリケーションに対して異なる方法を用いて記述される機能を実現することができるが、このような実現は本出願の範囲を超えると考えられるべきではない。
【０２３３】
当業者は、便利及び簡潔に説明するために、上記のシステム、装置及びユニットの具体的な動作プロセスについて、前記方法の実施例における対応するプロセスを参照でき、ここで説明を省略することを明確に理解することができる。
【０２３４】
本出願が提供する、いくつかの実施例では、開示されるシステム、装置及び方法は、他の方式により実現されてもよいと理解すべきである。例えば、上記の装置の実施例は例示的なものだけであり、例えば、前記ユニットの区分は、論理機能的区分だけであり、実際に実施する時に他の区分方式もあり得て、例えば複数のユニット又は構成要素は組み合わせてもよい又は別のシステムに統合されてもよく、又はいくつかの特徴は無視されてもよく、又は実行されなくてもよい。また、示される又は議論される相互結合又は直接結合又は通信接続はいくつかのインターフェース、装置又はユニットを介する間接的結合又は通信接続であってもよく、電気的、機械的又は他の形態であってもよい。
【０２３５】
分離部材として説明された前記ユニットは物理的に分離するものであってもよく又は物理的に分離するものでなくてもよく、ユニットとして表示された部材は物理要素であってもよく又は物理ユニットでなくてもよく、すなわち一つの箇所に位置してもよく、又は複数のネットワーク要素に分布してもよい。実際のニーズに応じてそのうちの一部又は全てのユニットを選択して本実施例の解決策の目的を達成することができる。
【０２３６】
また、本出願の各実施例における各機能ユニットは一つの処理ユニットに統合されてもよく、個々のユニットは単独で物理的に存在してもよく、二つ又は二つ以上のユニットは一つのユニットに統合されてもよい。
【０２３７】
前記機能はソフトウェア機能ユニットの形態で実現され且つ独立した製品として販売又は使用される時に、一つのコンピュータ読み取り可能な記憶媒体に格納されてもよい。このような理解に基づき、本出願の技術的解決策は本質的に又は従来技術に寄与する部分又は該技術的解決策の部分がソフトウェア製品の形で実現されてもよく、該コンピュータソフトウェア製品がコンピュータ装置（パーソナルコンピュータ、サーバ、又はネットワークデバイス等であってもよい）に本出願の様々な実施例に記載された方法の全て又は一部のステップを実行させるためのいくつかの命令を含む、記憶媒体に記憶される。前記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０２３８】
以上は、本出願の実施例の具体的な実施形態だけであるが、本出願の保護範囲はこれに制限されず、当業者が本出願で開示された技術範囲内で容易に想到し得る変化又は入れ替わりが全て本出願の保護範囲以内に含まれるべきである。従って、本出願の保護範囲は前記請求項の保護範囲に準拠するべきである。
【図１】
2021534610.tif 000003
【図２】
2021534610.tif 000004
【図３】
2021534610.tif 000005
【図４】
2021534610.tif 000006
【図５】
2021534610.tif 000007
【図６】
2021534610.tif 000008
【図７】
2021534610.tif 000009
【図８】
2021534610.tif 000010
【図９】
2021534610.tif 000011
【図１０】
2021534610.tif 000012
【図１１】
2021534610.tif 000013
【図１２】
2021534610.tif 000014
【図１３】
2021534610.tif 000015
【図１４】
2021534610.tif 000016
【図１５】
2021534610.tif 000017
【図１６】
2021534610.tif 000018
【図１７】
2021534610.tif 000019
【図１８】
2021534610.tif 000020
【手続補正書】
【提出日】令和3年6月22日(2021.6.22)
【手続補正１】
【補正対象書類名】特許請求の範囲
【補正対象項目名】全文
【補正方法】変更
【補正の内容】
【特許請求の範囲】
【請求項１】
セッション管理方法であって、端末装置が４Ｇネットワークにおいてパケットデータネットワーク（ＰＤＮ）接続を確立し、前記端末装置が４Ｇネットワークから５Ｇネットワークに移動した後、前記方法は、
前記端末装置が第一のネットワーク装置から送信された第一の指示情報を受信し、前記第一の指示情報が、前記ＰＤＮ接続に対応するプロトコルデータユニット（ＰＤＵ）セッションがマルチアクセス技術（ＭＡ）をサポートするか否かを示すことに用いられ、ＭＡをサポートする場合、前記ＰＤＵセッションが第３世代パートナーシッププログラム（３ＧＰＰ）ネットワークと非３ＧＰＰネットワークを同時に用いてデータを伝送することができることを含む、セッション管理方法。
【請求項２】
前記端末装置が前記第一のネットワーク装置から送信された前記第一の指示情報を受信する前に、前記方法はさらに、
前記端末装置が前記第一のネットワーク装置へ第一の情報を送信し、前記第一の情報が前記ＰＤＵセッションの変更をリクエストすることに用いられることを含み、
前記端末装置が第一のネットワーク装置から送信された第一の指示情報を受信することは、
前記端末装置が前記第一のネットワーク装置から送信された第二の情報を受信し、前記第二の情報が、前記端末装置によって開始された前記ＰＤＵセッションを変更するリクエストを受信することを示すことに用いられ、前記第二の情報が前記第一の指示情報を含むことを含むことを特徴とする
請求項１に記載の方法。
【請求項３】
前記第一の情報は第二の指示情報を含み、前記第二の指示情報は、前記端末装置がＭＡ  ＰＤＵセッションをサポートする能力を有することを示すことに用いられることを特徴とする
請求項２に記載の方法。
【請求項４】
セッション管理方法であって、端末装置が４Ｇネットワークにおいてパケットデータネットワーク（ＰＤＮ）接続を確立し、前記端末装置が４Ｇネットワークから５Ｇネットワークに移動した後、前記方法は、
第一のネットワーク装置が前記端末装置へ第一の指示情報を送信し、前記第一の指示情報が、前記ＰＤＮ接続に対応するプロトコルデータユニット（ＰＤＵ）セッションがマルチアクセス技術（ＭＡ）をサポートするか否かを示すことに用いられ、ＭＡをサポートする場合、前記ＰＤＵセッションが第３世代パートナーシッププログラム（３ＧＰＰ）ネットワークと非３ＧＰＰネットワークを同時に用いてデータを伝送することができることを含む、セッション管理方法。
【請求項５】
前記第一のネットワーク装置が前記端末装置へ前記第一の指示情報を送信する前に、前記方法はさらに、
前記第一のネットワーク装置が前記端末装置から送信された第一の情報を受信し、前記第一の情報が前記ＰＤＵセッションの変更をリクエストすることに用いられることを含み、
前記第一のネットワーク装置が前記端末装置へ第一の指示情報を送信することは、
前記第一のネットワーク装置が前記端末装置へ第二の情報を送信し、前記第二の情報が前記端末装置によって開始された前記ＰＤＵセッションを変更するリクエストを受信することを示すことに用いられ、前記第二の情報が前記第一の指示情報を含むことを含むことを特徴とする
請求項４に記載の方法。
【請求項６】
前記第一の情報は第二の指示情報を含み、前記第二の指示情報は、前記端末装置がＭＡ  ＰＤＵセッションをサポートする能力を有することを示すことに用いられることを特徴とする
請求項５に記載の方法。
【請求項７】
端末装置であって、前記端末装置が４Ｇネットワークにおいてパケットデータネットワーク（ＰＤＮ）接続を確立し、前記端末装置が４Ｇネットワークから５Ｇネットワークに移動した後、前記端末装置は、
第一のネットワーク装置から送信された第一の指示情報を受信するように構成され、前記第一の指示情報が、前記ＰＤＮ接続に対応するプロトコルデータユニット（ＰＤＵ）セッションがマルチアクセス技術（ＭＡ）をサポートするか否かを示すことに用いられ、ＭＡをサポートする場合、前記ＰＤＵセッションが第３世代パートナーシッププログラム（３ＧＰＰ）ネットワークと非３ＧＰＰネットワークを同時に用いてデータを伝送することができる通信ユニットを備える、端末装置。
【請求項８】
前記通信ユニットが前記第一のネットワーク装置から送信された前記第一の指示情報を受信する前に、前記通信ユニットは、さらに前記第一のネットワーク装置へ第一の情報を送信するように構成され、前記第一の情報が前記ＰＤＵセッションの変更をリクエストすることに用いられ、
前記通信ユニットは具体的に、
前記第一のネットワーク装置から送信された第二の情報を受信するように構成され、前記第二の情報が、前記端末装置によって開始された前記ＰＤＵセッションを変更するリクエストを受信することを示すことに用いられ、前記第二の情報が前記第一の指示情報を含むことを特徴とする
請求項７に記載の端末装置。
【請求項９】
前記第一の情報は第二の指示情報を含み、前記第二の指示情報は、前記端末装置がＭＡ  ＰＤＵセッションをサポートする能力を有することを示すことに用いられることを特徴とする
請求項８に記載の端末装置。
【請求項１０】
前記端末装置はさらに、
前記ＰＤＵセッションがＭＡをサポートするか否かに応じて、前記非３ＧＰＰネットワークによるＭＡ  ＰＤＵセッション確立を開始するか否かを確定するように構成される処理ユニットを備えることを特徴とする
請求項７−９のいずれか一項に記載の端末装置。
【請求項１１】
前記処理ユニットは具体的に、
前記ＰＤＵセッションがＭＡをサポートする時に、前記非３ＧＰＰネットワークによるＭＡ  ＰＤＵセッション確立を開始することを確定するように構成され、又は
前記ＰＤＵセッションがＭＡをサポートしない時に、前記非３ＧＰＰネットワークによるＭＡ  ＰＤＵセッション確立を開始しないことを確定するように構成されることを特徴とする
請求項１０に記載の端末装置。
【請求項１２】
ネットワーク装置であって、端末装置が４Ｇネットワークにおいてパケットデータネットワーク（ＰＤＮ）接続を確立し、前記端末装置が４Ｇネットワークから５Ｇネットワークに移動した後、前記ネットワーク装置は、
前記端末装置へ第一の指示情報を送信するように構成され、前記第一の指示情報が、前記ＰＤＮ接続に対応するプロトコルデータユニット（ＰＤＵ）セッションがマルチアクセス技術（ＭＡ）をサポートするか否かを示すことに用いられ、ＭＡをサポートする場合、前記ＰＤＵセッションが第３世代パートナーシッププログラム（３ＧＰＰ）ネットワークと非３ＧＰＰネットワークを同時に用いてデータを伝送することができる通信ユニットを備える、ネットワーク装置。
【請求項１３】
前記通信ユニットが前記端末装置へ前記第一の指示情報を送信する前に、前記通信ユニットは、さらに前記端末装置から送信された第一の情報を受信するように構成され、前記第一の情報が前記ＰＤＵセッションの変更をリクエストすることに用いられ、
前記通信ユニットは具体的に、
前記端末装置へ第二の情報を送信するように構成され、前記第二の情報が前記端末装置によって開始された前記ＰＤＵセッションを変更するリクエストを受信することを示すことに用いられ、前記第二の情報が前記第一の指示情報を含むことを特徴とする
請求項１２に記載のネットワーク装置。
【請求項１４】
前記第一の情報は第二の指示情報を含み、前記第二の指示情報は、前記端末装置がＭＡ  ＰＤＵセッションをサポートする能力を有することを示すことに用いられることを特徴とする
請求項１３に記載のネットワーク装置。
【請求項１５】
前記通信ユニットが前記端末装置へ前記第二の情報を送信する前に、前記通信ユニットはさらに、
第二のネットワーク装置へ前記端末装置に対するコンテキスト更新リクエストを送信し、
前記第二のネットワーク装置から送信された前記端末装置に対するコンテキスト更新応答を受信するように構成され、前記コンテキスト更新応答が前記第一の指示情報を含むことを特徴とする
請求項１３に記載のネットワーク装置。
【請求項１６】
前記通信ユニットが前記端末装置へ前記第二の情報を送信する前に、前記通信ユニットはさらに、
第二のネットワーク装置へ前記端末装置に対するコンテキスト更新リクエストを送信し、前記コンテキスト更新リクエストが前記第二の指示情報を含み、
前記第二のネットワーク装置から送信された前記端末装置に対するコンテキスト更新応答を受信するように構成され、前記コンテキスト更新応答が前記第一の指示情報を含むことを特徴とする
請求項１３に記載のネットワーク装置。
【国際調査報告】
2021534610.tif 000021
2021534610.tif 000022
2021534610.tif 000023
2021534610.tif 000024